(57)【要約】  ネットワークノードにおける方法が、ナローバンド物理ダウンリンク制御チャネル（ＮＢ−ＰＤＣＣＨ）またはナローバンド物理ダウンリンク共有チャネル（ＮＢ−ＰＤＳＣＨ）の送信時間の複数のタイムフレームのうちの少なくとも第１のタイムフレームおよび第２のタイムフレームの繰り返し期間中にナローバンドインターネットオブシングスダウンリンクを介して第１のワイヤレスデバイスへ第１のメッセージを通信することを含む。複数のタイムフレームのそれぞれのタイムフレームは、繰り返し期間およびギャップを含む。この方法はまた、第１のタイムフレームのギャップ中に第２のワイヤレスデバイスへ第２のメッセージを通信することを含む。【選択図】図１
2019513322.tif 000002
【特許請求の範囲】
【請求項１】
ネットワークノード（６１５）における方法（４００）であって、
ナローバンド物理ダウンリンク制御チャネル（ＮＢ−ＰＤＣＣＨ）またはナローバンド物理ダウンリンク共有チャネル（ＮＢ−ＰＤＳＣＨ）の送信時間の複数のタイムフレームのうちの少なくとも第１のタイムフレーム（１０５Ａ、２０５Ａ、３０５Ａ）および第２のタイムフレーム（１０５Ｂ、２０５Ｂ、３０５Ｂ）の繰り返し期間（１１０、２１０、２１５、３１５、３２０、３２５）中にナローバンドインターネットオブシングスダウンリンクを介して第１のワイヤレスデバイス（６１０）へ第１のメッセージを通信すること（４０５）であって、前記複数のタイムフレームのそれぞれのタイムフレームが、繰り返し期間およびギャップを含む、通信すること（４０５）と、
前記第１のタイムフレーム（１０５Ａ、２０５Ａ、３０５Ａ）のギャップ中に第２のワイヤレスデバイス（６１０）へ第２のメッセージを通信すること（４１０）とを含む方法（４００）。
【請求項２】
前記第２のタイムフレーム（１０５Ｂ、２０５Ｂ、３０５Ｂ）のギャップ（１１５、２２０、３１０）中に第３のワイヤレスデバイス（６１０）へ第３のメッセージを通信することをさらに含む、請求項１に記載の方法（４００）。
【請求項３】
前記第１のタイムフレーム（２０５Ａ）の第２の繰り返し期間（２１５）中に第４のワイヤレスデバイス（６１０）へ第４のメッセージを通信することと、
前記第２のタイムフレーム（２０５Ｂ）の第２の繰り返し期間（２１５）中に前記第４のワイヤレスデバイスへ前記第４のメッセージを通信することと
をさらに含む、請求項２に記載の方法（４００）。
【請求項４】
前記第１のタイムフレーム（１０５Ａ、２０５Ａ、３０５Ａ）の前記繰り返し期間（１１０、２１０、２１５、３１５、３２０、３２５）中に第３のワイヤレスデバイス（６１０）へ第３のメッセージを通信することをさらに含む、請求項１に記載の方法（４００）。
【請求項５】
前記第１のタイムフレーム（２０５Ａ、３０５Ａ）の前記ギャップ中に第３のワイヤレスデバイス（６１０）へ第３のメッセージを通信することをさらに含む、請求項１に記載の方法（４００）。
【請求項６】
前記第１のタイムフレーム（３０５Ａ）の前記繰り返し期間が、第１の期間（３２５）および第２の期間（３１５、３２０）を含み、前記第１の期間（３２５）が、前記第２の期間（３１５、３２０）よりも長く、
前記第１のメッセージが、前記第１の期間（３２５）中に通信され、
前記第３のメッセージが、前記第２の期間（３１５、３２０）中に通信される、
請求項５に記載の方法（４００）。
【請求項７】
前記第１のタイムフレーム（３０５Ａ）の前記繰り返し期間（３１５）中に第４のワイヤレスデバイス（６１０）へ第４のメッセージを通信することをさらに含む、請求項５に記載の方法（４００）。
【請求項８】
前記第１のタイムフレーム（３０５Ａ）の前記繰り返し期間（３１５、３２０、３２５）が、第１の期間（３２５）、第２の期間（３２０）、および第３の期間（３１５）を含み、前記第１の期間（３２５）が、前記第２の期間（３２０）よりも長く、前記第２の期間（３２０）が、前記第３の期間（３１５）よりも長く、
前記第１のメッセージが、前記第１の期間（３２５）中に通信され、
前記第３のメッセージが、前記第２の期間（３２０）中に通信され、
前記第４のメッセージが、前記第３の期間（３１５）中に通信される、
請求項７に記載の方法（４００）。
【請求項９】
ｅＮｏｄｅＢにおいて実行される、請求項１から８のいずれか一項に記載の方法（４００）。
【請求項１０】
前記第１のワイヤレスデバイス（６１０）から肯定応答が受信される前に通信された繰り返された送信の回数に基づいて前記第１のワイヤレスデバイス（６１０）をカバレッジレベルに割り振ることをさらに含む、請求項１から９のいずれか一項に記載の方法（４００）。
【請求項１１】
前記第１のワイヤレスデバイス（６１０）へ到達するための繰り返された送信の回数が、前記第２のワイヤレスデバイス（６１０）へ到達するための繰り返された送信の回数よりも多い、請求項１から１０のいずれか一項に記載の方法（４００）。
【請求項１２】
メモリ（８３０）と、
前記メモリ（８３０）に通信可能に結合されている処理回路（８２０）と
を含むネットワークノード（６１５）であって、前記処理回路（８２０）が、
ナローバンド物理ダウンリンク制御チャネル（ＮＢ−ＰＤＣＣＨ）またはナローバンド物理ダウンリンク共有チャネル（ＮＢ−ＰＤＳＣＨ）の送信時間の複数のタイムフレームのうちの少なくとも第１のタイムフレーム（１０５Ａ、２０５Ａ、３０５Ａ）および第２のタイムフレーム（１０５Ｂ、２０５Ｂ、３０５Ｂ）の繰り返し期間（１１０、２１０、２１５、３１５、３２０、３２５）中にナローバンドインターネットオブシングスダウンリンクを介して第１のワイヤレスデバイス（６１０）へ第１のメッセージを通信することであって、前記複数のタイムフレームのそれぞれのタイムフレームが、繰り返し期間およびギャップを含む、通信することと、
前記第１のタイムフレーム（１０５Ａ、２０５Ａ、３０５Ａ）のギャップ中に第２のワイヤレスデバイス（６１０）へ第２のメッセージを通信することとを行うように構成されている、ネットワークノード（６１５）。
【請求項１３】
前記処理回路（８２０）が、前記第２のタイムフレーム（１０５Ｂ、２０５Ｂ、３０５Ｂ）のギャップ（１１５、２２０、３１０）中に第３のワイヤレスデバイス（６１０）へ第３のメッセージを通信することを行うようにさらに構成されている、請求項１２に記載のネットワークノード（６１５）。
【請求項１４】
前記処理回路（８２０）が、
前記第１のタイムフレーム（２０５Ａ）の第２の繰り返し期間（２１５）中に第４のワイヤレスデバイス（６１０）へ第４のメッセージを通信することと、
前記第２のタイムフレーム（２０５Ｂ）の第２の繰り返し期間（２１５）中に前記第４のワイヤレスデバイスへ前記第４のメッセージを通信することとを行うようにさらに構成されている、請求項１３に記載のネットワークノード（６１５）。
【請求項１５】
前記処理回路（８２０）が、前記第１のタイムフレーム（１０５Ａ、２０５Ａ、３０５Ａ）の前記繰り返し期間（１１０、２１０、２１５、３１５、３２０、３２５）中に第３のワイヤレスデバイス（６１０）へ第３のメッセージを通信することを行うようにさらに構成されている、請求項１２に記載のネットワークノード（６１５）。
【請求項１６】
前記処理回路（８２０）が、前記第１のタイムフレーム（２０５Ａ、３０５Ａ）の前記ギャップ中に第３のワイヤレスデバイス（６１０）へ第３のメッセージを通信することを行うようにさらに構成されている、請求項１２に記載のネットワークノード（６１５）。
【請求項１７】
前記第１のタイムフレーム（３０５Ａ）の前記繰り返し期間が、第１の期間（３２５）および第２の期間（３１５、３２０）を含み、前記第１の期間（３２５）が、前記第２の期間（３１５、３２０）よりも長く、
前記第１のメッセージが、前記第１の期間（３２５）中に通信され、
前記第３のメッセージが、前記第２の期間（３１５、３２０）中に通信される、
請求項１６に記載のネットワークノード（６１５）。
【請求項１８】
前記処理回路（８２０）が、前記第１のタイムフレーム（３０５Ａ）の前記繰り返し期間（３１５）中に第４のワイヤレスデバイス（６１０）へ第４のメッセージを通信することを行うようにさらに構成されている、請求項１６に記載のネットワークノード（６１５）。
【請求項１９】
前記第１のタイムフレーム（３０５Ａ）の前記繰り返し期間（３１５、３２０、３２５）が、第１の期間（３２５）、第２の期間（３２０）、および第３の期間（３１５）を含み、前記第１の期間（３２５）が、前記第２の期間（３２０）よりも長く、前記第２の期間（３２０）が、前記第３の期間（３１５）よりも長く、
前記第１のメッセージが、前記第１の期間（３２５）中に通信され、
前記第３のメッセージが、前記第２の期間（３２０）中に通信され、
前記第４のメッセージが、前記第３の期間（３１５）中に通信される、
請求項１８に記載のネットワークノード（６１５）。
【請求項２０】
ｅＮｏｄｅＢである、請求項１２から１９のいずれか一項に記載のネットワークノード（６１５）。
【請求項２１】
前記第１のワイヤレスデバイス（６１０）が、前記第１のワイヤレスデバイス（６１０）から肯定応答が受信される前に通信された繰り返された送信の回数に基づいてカバレッジレベルに割り振られる、請求項１２から２０のいずれか一項に記載のネットワークノード（６１５）。
【請求項２２】
前記第１のワイヤレスデバイス（６１０）へ到達するための繰り返された送信の回数が、前記第２のワイヤレスデバイス（６１０）へ到達するための繰り返された送信の回数よりも多い、請求項１２から２１のいずれか一項に記載のネットワークノード（６１５）。
【請求項２３】
メモリ（７３０）と、
前記メモリ（７３０）に通信可能に結合されている処理回路（７２０）と
を含むワイヤレスデバイス（６１０）であって、前記処理回路（７２０）が、
ナローバンド物理ダウンリンク制御チャネル（ＮＢ−ＰＤＣＣＨ）を介した通信が通信されるようにスケジュールされているサブフレームを示す構成を、ナローバンドインターネットオブシングスダウンリンクを介して受信することと、
前記構成によって示されている前記サブフレームにおいて前記ＮＢ−ＰＤＣＣＨを介して前記通信を受信することと、
前記通信をデコードすることとを行うように構成されている、ワイヤレスデバイス（６１０）。
【請求項２４】
前記処理回路（７２０）が、ナローバンド物理ダウンリンク制御チャネル（ＮＢ−ＰＤＣＣＨ）またはＮＢ−ＰＤＳＣＨの送信時間の複数のタイムフレームのうちの第１のタイムフレーム（１０５Ａ、２０５Ａ、３０５Ａ）の繰り返し期間（１１０、２１０、２１５、３１５、３２０、３２５）中にメッセージを受信することであって、前記複数のタイムフレームのそれぞれのタイムフレームが、繰り返し期間およびギャップを含む、受信することを行うようにさらに構成されている、請求項２３に記載のワイヤレスデバイス（６１０）。
【請求項２５】
前記複数のタイムフレームのうちの少なくとも１つのタイムフレームが、前記サブフレームと位置合わせされる、請求項２４に記載のワイヤレスデバイス（６１０）。
【請求項２６】
前記処理回路（７２０）が、ナローバンド物理ダウンリンク制御チャネル（ＮＢ−ＰＤＣＣＨ）またはナローバンド物理ダウンリンク共有チャネル（ＮＢ−ＰＤＳＣＨ）の送信時間の複数のタイムフレームのうちの第１のタイムフレーム（１０５Ａ、２０５Ａ、３０５Ａ）のギャップ中にメッセージを受信することであって、前記複数のタイムフレームのそれぞれのタイムフレームが、繰り返し期間およびギャップを含む、受信することを行うようにさらに構成されている、請求項２４に記載のワイヤレスデバイス（６１０）。
【請求項２７】
前記構成がｅＮｏｄｅＢによって通信される、請求項２３から２６のいずれか一項に記載のワイヤレスデバイス（６１０）。
【請求項２８】
前記ワイヤレスデバイス（６１０）が、肯定応答を前記ワイヤレスデバイス（６１０）が通信する前に通信された繰り返された送信の回数に基づいてカバレッジレベルに割り振られる、請求項２３から２７のいずれか一項に記載のワイヤレスデバイス（６１０）。
【請求項２９】
前記ワイヤレスデバイス（６１０）へ到達するための繰り返された送信の回数が、前記ワイヤレスデバイス（６１０）とは異なるカバレッジレベルに割り振られている第２のワイヤレスデバイス（６１０）へ到達するための繰り返された送信の回数よりも多い、請求項２３から２８のいずれか一項に記載のワイヤレスデバイス（６１０）。
【請求項３０】
ナローバンド物理ダウンリンク制御チャネル（ＮＢ−ＰＤＣＣＨ）を介した通信が通信されるようにスケジュールされているサブフレームを示す構成を、ナローバンドインターネットオブシングスダウンリンクを介して受信すること（８０５）と、
前記構成によって示されている前記サブフレームにおいて前記ＮＢ−ＰＤＣＣＨを介して前記通信を受信すること（８１０）と、
前記通信をデコードすること（８１５）と
含む方法（８００）。
【請求項３１】
ナローバンド物理ダウンリンク制御チャネル（ＮＢ−ＰＤＣＣＨ）またはＮＢ−ＰＤＳＣＨの送信時間の複数のタイムフレームのうちの第１のタイムフレーム（１０５Ａ、２０５Ａ、３０５Ａ）の繰り返し期間（１１０、２１０、２１５、３１５、３２０、３２５）中にメッセージを受信することであって、前記複数のタイムフレームのそれぞれのタイムフレームが、繰り返し期間およびギャップを含む、受信することをさらに含む、請求項３０に記載の方法（８００）。
【請求項３２】
前記複数のタイムフレームのうちの少なくとも１つのタイムフレームが、前記サブフレームと位置合わせされる、請求項３１に記載の方法（８００）。
【請求項３３】
処理回路（７２０）が、ナローバンド物理ダウンリンク制御チャネル（ＮＢ−ＰＤＣＣＨ）またはナローバンド物理ダウンリンク共有チャネル（ＮＢ−ＰＤＳＣＨ）の送信時間の複数のタイムフレームのうちの第１のタイムフレーム（１０５Ａ、２０５Ａ、３０５Ａ）のギャップ中にメッセージを受信することであって、前記複数のタイムフレームのそれぞれのタイムフレームが、繰り返し期間およびギャップを含む、受信することを行うようにさらに構成されている、請求項３１に記載の方法（８００）。
【請求項３４】
前記構成がｅＮｏｄｅＢによって通信される、請求項３０から３３のいずれか一項に記載の方法（８００）。
【請求項３５】
前記構成を受信するワイヤレスデバイス（６１０）が、肯定応答を前記ワイヤレスデバイス（６１０）が通信する前に通信された繰り返された送信の回数に基づいてカバレッジレベルに割り振られる、請求項３０から３４のいずれか一項に記載の方法（８００）。
【請求項３６】
前記構成を受信したワイヤレスデバイス（６１０）へ到達するための繰り返された送信の回数が、前記ワイヤレスデバイス（６１０）とは異なるカバレッジレベルに割り振られている第２のワイヤレスデバイス（６１０）へ到達するための繰り返された送信の回数よりも多い、請求項３０から３５のいずれか一項に記載の方法（８００）。
【発明の詳細な説明】
【技術分野】
【０００１】
本開示は、全般的にはインターネットオブシングスネットワークにおけるナローバンド通信に関する。
【背景技術】
【０００２】
インターネットオブシングスを実現する目的で、無線インフラストラクチャーであるマシン型通信をサポートするために、リリース１３  Ｌｏｎｇ  Ｔｅｒｍ  Ｅｖｏｌｕｔｉｏｎ（ＬＴＥ）マシン型通信（ＭＴＣ）およびナローバンドインターネットオブシングス（ＮＢ−ＩｏＴ）という名の２つのワークアイテムが、第３世代パートナーシッププロジェクト（３ＧＰＰ）内で導入されている。リリース１３ＬＴＥ  ＭＴＣおよびＮＢ−ＩｏＴの両方に関して、劣悪なまたは極限のカバレッジエリアにあるユーザ機器（ＵＥ）に到達するための主要なソリューションは、データチャネルおよび制御チャネルを介した送信を繰り返すことである。
【発明の概要】
【０００３】
劣悪なまたは極限のカバレッジにおけるＵＥに到達するための繰り返しの送信は、数百ミリ秒または数千ミリ秒ですら要することがある。リリース１３ＬＴＥ  ＭＴＣのケースにおいては、利用可能な帯域幅は、６つの物理リソースブロック（ＰＲＢ）であり、極限のカバレッジのケースに関しては、全帯域幅が、１つのＵＥおよび１つのチャネルに割り振られ、これは、その他のＵＥの送信における遅延を引き起こす場合がある。しかしながら、拡張Ｎｏｄｅ  Ｂ（ｅＮＢ）は、ＲＡＮ１  Ｃｈａｉｒｍａｎ’ｓ  Ｎｏｔｅｓ，  ３ＧＰＰ  ＴＳＧ  ＲＡＮ  ＷＧ１  Ｍｅｔｔｉｎｇ  ＃８４，  Ｓｔ．  Ｊｕｌｉａｎ’ｓ，  Ｍａｌｔａ，  Ｆｅｂｒｕａｒｙ  １５−１９，  ２０１６において記述されているように、システムの全帯域幅（このケースにおいては２０ＭＨｚ）内で最大で１６個の異なるＭＴＣキャリアを同時にスケジュールすることができる。
【０００４】
これと比較すると、ＮＢ−ＩｏＴは、１つのキャリア内に１８０ｋＨｚの帯域幅を有するだけであることがあり、これは、ＬＴＥの点では１ＰＲＢに等しい。特に、ＮＢ−ＩｏＴの展開がＬＴＥガード帯域にあるケース、または独立しているケースにおいて追加のキャリアをスケジュールすることは可能でない場合がある。この事実に基づいて、Ｒ１−１６１５４６，  “ＲＡＮ１  Ａｇｒｅｅｍｅｎｔｓ  ｆｏｒ  Ｒｅｌ−１３  ｅＭＴＣ  Ｓｏｒｔｅｄ  ａｎｄ  Ｅｄｉｔｅｄ  ｂｙ  Ｔｏｐｉｃ，”  ＲＡＮ１  ＃８４，  Ｆｅｂｒｕａｒｙ  ２０１６において記述されているように、ＮＢ−ＩｏＴダウンリンクに関しては、制御チャネルおよびデータチャネル、たとえば、ナローバンド物理ダウンリンク制御チャネル（ＮＢ−ＰＤＣＣＨ）およびナローバンド物理ダウンリンク共有チャネル（ＮＢ−ＰＤＳＣＨ）が時分割多重化（ＴＤＭ）様式で多重化されるだけであるということが合意されている。
【０００５】
さらに、あるＵＥが劣悪なカバレッジにある場合には、そのＵＥは、良好なカバレッジにおけるその他のＵＥへの送信を遅延させることがある。たとえば、劣悪なカバレッジにおけるＵＥに到達するためには、そのＵＥがメッセージを受信してそのメッセージに肯定応答する前に、１つのメッセージの数百回または数千回の繰り返される送信（制御チャネルを通じてか、または共有チャネルを通じてかにかかわらず）を要することがある。これらの繰り返される送信が行われている時間中に、良好なカバレッジにおけるＵＥに向けられているメッセージ、および良好なカバレッジにおけるＵＥによって通信されるメッセージがブロックおよび／または遅延される場合がある。一例として、良好なカバレッジにおけるＵＥが、同じネットワーク上で劣悪なカバレッジにおけるＵＥへの繰り返される送信が行われているときに自分のデータまたはシグナリングを送信できるためには、数百ミリ秒待つことを必要とする場合がある。したがって、送信における遅延の点でＮＢ−ＩｏＴに関して、別々のカバレッジレベルを伴う別々のＵＥへの送信をスケジュールすることに伴う問題が存在する（たとえば、それらのＵＥに到達するためには、別々の回数の繰り返される送信が必要とされる）。
【０００６】
本開示は、上述の問題のうちのいくつかまたはすべてに対処するためにさまざまなコンポーネントを含む、および／または特定のプロセスを実行するネットワークノードおよび／またはＵＥを想定している。ネットワークノードは、ナローバンド物理ダウンリンク制御チャネル（ＮＢ−ＰＤＣＣＨ）またはナローバンド物理ダウンリンク共有チャネル（ＮＢ−ＰＤＳＣＨ）の送信時間を繰り返し期間および非ブロッキング期間へと分割することができる。繰り返し期間は、劣悪なまたは低劣なカバレッジにおけるＵＥへの送信のために使用されることが可能であり、その一方で非ブロッキング期間は、より良好なカバレッジにおけるＵＥへの送信のために使用されることが可能である。たとえば、繰り返し期間は、到達されるために数百回または数千回の繰り返しを必要とするＵＥへメッセージを送信するために使用されることが可能であり、その一方で非ブロッキング期間は、到達されるために（仮にたとえあるとしても）同じ数だけの繰り返しを必要としないＵＥへメッセージを送信するために使用されることが可能である。低劣なまたは劣悪なカバレッジにおけるＵＥへの送信期間を、より良好なカバレッジにおけるＵＥへの送信期間から切り離すことによって、低劣なまたは劣悪なカバレッジにおけるＵＥへの繰り返される送信によって引き起こされる、より良好なカバレッジにおけるＵＥへの送信の遅延を低減することおよび／またはブロックを回避することが可能である。この様式においては、システムは、より良好なカバレッジにおけるＵＥへの送信を失速または遅延させることを回避することができる。
【０００７】
一実施形態によれば、ネットワークノードにおける方法が、ナローバンド物理ダウンリンク制御チャネル（ＮＢ−ＰＤＣＣＨ）またはナローバンド物理ダウンリンク共有チャネル（ＮＢ−ＰＤＳＣＨ）の送信時間の複数のタイムフレームのうちの少なくとも第１のタイムフレームおよび第２のタイムフレームの繰り返し期間中にナローバンドインターネットオブシングスダウンリンクを介して第１のワイヤレスデバイスへ第１のメッセージを通信することを含む。複数のタイムフレームのそれぞれのタイムフレームは、繰り返し期間およびギャップを含む。この方法はまた、第１のタイムフレームのギャップ中に第２のワイヤレスデバイスへ第２のメッセージを通信することを含む。この方法を実行することによって、第２のメッセージを通信する際の遅延、および／または第１のメッセージの繰り返される送信によって引き起こされる第２のメッセージのブロックが回避および／または低減されることが可能である。
【０００８】
別の実施形態によれば、ネットワークノードが、メモリおよび処理回路を含む。処理回路は、ナローバンド物理ダウンリンク制御チャネル（ＮＢ−ＰＤＣＣＨ）またはナローバンド物理ダウンリンク共有チャネル（ＮＢ−ＰＤＳＣＨ）の送信時間の複数のタイムフレームのうちの少なくとも第１のタイムフレームおよび第２のタイムフレームの繰り返し期間中に第１のワイヤレスデバイスへ第１のメッセージを通信する。複数のタイムフレームのそれぞれのタイムフレームは、繰り返し期間およびギャップを含む。処理回路はまた、第１のタイムフレームのギャップ中に第２のワイヤレスデバイスへ第２のメッセージを通信するように構成されている。この様式においては、ネットワークノードは、第２のメッセージを通信する際の遅延を低減し、および／または第１のメッセージの繰り返される送信によって引き起こされる第２のメッセージのブロックを回避する。
【０００９】
さらに別の実施形態によれば、ワイヤレスデバイスが、メモリおよび処理回路を含む。処理回路は、ナローバンド物理ダウンリンク制御チャネル（ＮＢ−ＰＤＣＣＨ）を介した通信が通信されるようにスケジュールされているサブフレームを示す構成を受信するように構成されている。処理回路は、構成によって示されているサブフレームにおいてＮＢ−ＰＤＣＣＨを介して通信を受信することと、通信をデコードすることとを行うようにさらに構成されている。この様式においては、ワイヤレスデバイスは、ワイヤレスデバイスに向けられているメッセージの、および／またはワイヤレスデバイスによって行われる送信のブロックまたは遅延を回避することができる。
【００１０】
別の実施形態によれば、ワイヤレスデバイスにおける方法が、ナローバンド物理ダウンリンク制御チャネル（ＮＢ−ＰＤＣＣＨ）を介した通信が通信されるようにスケジュールされているサブフレームを示す構成を、ナローバンドインターネットオブシングスダウンリンクを介して受信することを含む。この方法はまた、構成によって示されているサブフレームにおいてＮＢ−ＰＤＣＣＨを介して通信を受信することと、通信をデコードすることとを含む。この方法を実行することによって、ワイヤレスデバイスは、ワイヤレスデバイスに向けられているメッセージの、および／またはワイヤレスデバイスによって行われる送信のブロックまたは遅延を回避することができる。
【００１１】
特定の実施形態は、１つまたは複数の技術的な利点を提供することができる。たとえば、一実施形態は、劣悪なまたは極限のカバレッジにおいてＵＥによって引き起こされるデータチャネルおよび制御チャネルの多数の繰り返しがある間に、ＮＢ−ＩｏＴのダウンリンク送信における繰り返しをまったくまたはほとんど伴わずにＵＥのブロックを回避する。別の実施形態は、グリッドにおけるスケジュールされている送信時間をＮＢ−ＰＤＣＣＨ探索空間設計に関する可能な開始サブフレーム構造と位置合わせすることによって、制御信号のブロックを回避する。実施形態のさらに別の技術的な利点は、ダウンリンクリソースの使用効率を保持する。特定の実施形態は、上述の技術的な利点のうちのいずれも含まないこと、それらのいくつかを含むこと、またはそれらのすべてを含むことが可能である。その他の１つまたは複数の技術的な利点は、当業者にとって、本明細書に含まれている図、説明、および特許請求の範囲から容易に明らかになることが可能である。
【００１２】
本開示のさらに完全な理解のために、次いで、添付の図面と併せて理解される下記の説明への参照が行われる。
【図面の簡単な説明】
【００１３】
【図１】特定の実施形態による、極限のカバレッジにおける１つのＵＥに関する送信においてギャップを導入するための例示的なグリッド設計を示す図である。
【図２】特定の実施形態による、極限のカバレッジにおける複数のＵＥをスケジュールするための例示的なグリッド構造を示す図である。
【図３】特定の実施形態による、複数のカバレッジレベルのための例示的なグリッド構造を示す図である。
【図４Ａ】特定の実施形態による、リソースを割り当てるための例示的な方法を示すフローチャートである。
【図４Ｂ】特定の実施形態による、リソースを割り当てるための例示的な方法を示すフローチャートである。
【図５】特定の実施形態による、コンピュータネットワーキング仮想装置を示すブロック図である。
【図６】特定の実施形態による、例示的なネットワークを示す図である。
【図７】特定の実施形態による、例示的なワイヤレスデバイスのブロック概略図である。
【図８】特定の実施形態による、リソースを割り当てるための方法を示すフローチャートである。
【図９】特定の実施形態による、コンピュータネットワーキング仮想装置を示すブロック図である。
【図１０】特定の実施形態による、例示的な無線ネットワークノードのブロック概略図である。
【図１１】特定の実施形態による、例示的な無線ネットワークコントローラまたはコアネットワークノードのブロック概略図である。
【発明を実施するための形態】
【００１４】
リリース１３  ＮＢ−ＩｏＴのダウンリンク送信に関するデータおよび制御情報の両方は、ＴＤＭアプローチを使用して多重化される。したがって、データおよび制御情報を同時に送信することは可能ではない。また、低い信号対雑音比（ＳＮＲ）（高い結合損失に起因する場合がある）を伴うＵＥと通信するために、ｅＮＢは、サブフレームベースでそれぞれのデータまたは制御チャネル（ＮＢ−ＰＤＳＣＨおよびＮＢ−ＰＤＣＣＨとしても知られている）を繰り返し送信する。これらの繰り返しは、それぞれの送信機会ごとに数百または数千のサブフレームを要する場合がある。しかしながら、システムにおけるＵＥのうちのほとんどは、繰り返しをまったく必要としないまたはほとんど必要としない通常のＳＮＲレンジ内で活動していると予想される。
【００１５】
あるＵＥが、劣悪なまたは極限のカバレッジエリアにある（数百または数千の繰り返しをもたらす結果となる）場合に、かつ連続したサブフレームが繰り返しのために使用される場合には、自分のデータまたは制御情報を受信するのに１つのまたは数個のサブフレームを必要とするだけであるその他のＵＥは、実質的にブロックされることがある。これは、数百ミリ秒または数千ミリ秒にわたるＰＤＣＣＨ（ｐｈｙｓｉｃａｌ  ｄｏｗｎｌｉｎｋ  ｃｏｎｔｒｏｌ  ｃｈａｎｎｅｌ）／ＰＤＳＣＨ（ｐｈｙｓｉｃａｌ  ｄｏｗｎｌｉｎｋ  ｓｈａｒｅｄ  ｃｈａｎｎｅｌ）の受信における遅延を引き起こす。この問題に対する１つのソリューションは、劣悪なまたは極限のカバレッジエリアにおけるＵＥへの送信中に切れ目（ギャップとも呼ばれる）を導入することである。これらのギャップ内では、通常のカバレッジを伴うＵＥは、自分のデータチャネルおよび制御チャネルを受信するようにスケジュールされることが可能である。これらのギャップの持続時間および発生頻度は、通常のカバレッジにおけるＵＥがブロックされることのないように、多くの繰り返しを伴うＵＥが過度に遅延されないように、およびＵＥ間におけるリソース割り当てが効率的になり、それにより、これらのギャップによって引き起こされるリソースのいかなる浪費も最小化されるように設計されるべきである。
【００１６】
一般に、本開示は、それぞれのカバレッジレベルに関する繰り返し間における送信ギャップを含むことを想定しており、それによって、ＵＥが、その他のＵＥと比較して多数の繰り返しを必要とするケースにおいて、繰り返しをまったく必要としないまたはいくらか必要とするＵＥへの送信がブロックされることがなく、また数百または数千のサブフレームにわたって遅延されることもない。一実施形態においては、ダウンリンク送信時間は、複数のグリッドへと分割され、それらのグリッドは、構造において同様または同じであることが可能である。それぞれのグリッドは、図１〜図３において示されているように、それぞれのカバレッジレベルに関して送信におけるギャップを含む。
【００１７】
本開示は、ＮＢ−ＩｏＴダウンリンクチャネルの送信時間を複数のタイムフレームへと分割するネットワークノードを想定している。例示的な送信時間１００が、図１において示されている。それぞれのタイムフレーム（グリッド１０５Ａ、１０５Ｂ、１０５Ｃ、１０５Ｄとも呼ばれる）は次いで、送信期間へとさらに分割される。第１のタイムフレーム１０５Ａに関して、第１の送信期間（繰り返し期間１１０とも呼ばれる）中に、ネットワークは、劣悪なまたは極限のカバレッジエリアにおける第１のＵＥへの送信を行う。繰り返し期間１１０中に、ネットワークノードは、第１のＵＥへの送信を繰り返し行うことができる。第２の送信期間（非ブロッキング期間１１５またはギャップとも呼ばれる）中に、ネットワークは、繰り返しが予測されない良好なカバレッジにおける第２のＵＥへの送信を行う。第１のＵＥへの繰り返しの送信は、後続のタイムフレームまたはグリッド１０５Ｂ、１０５Ｃ、１０５Ｄの繰り返し期間１１０中に発生することが可能であり、良好なカバレッジエリアにおけるその他のＵＥへの送信を行うために、後続のタイムフレームまたはグリッド１０５Ｂ、１０５Ｃ、１０５Ｄの非ブロッキング期間１１５が使用されることが可能である。たとえば、第２のタイムフレーム１０５Ｂ（これは、第１のタイムフレームの直後のタイムフレームであり得る）に関して、繰り返し期間１１０中にネットワークは、第１のＵＥへの送信を繰り返す。次いで、第２のタイムフレーム１０５Ｂの非ブロッキング期間１１５（またはギャップ）中に、ネットワークは、良好なカバレッジエリアにおける第３のＵＥへの送信を行う。これらの例において示されているように、第２および第３のＵＥは良好なカバレッジエリアにあるので、ネットワークは、送信を繰り返すことなく第２および第３のＵＥと通信することができる。結果として、ネットワークは、非ブロッキング期間１１５中に第２および第３のＵＥへの送信をスケジュールする。その一方で、第１のＵＥは劣悪なカバレッジエリアにあるので、ネットワークは、第１のＵＥへ到達するために第１のＵＥへの送信を繰り返す。結果として、ネットワークは、繰り返し期間１１０中に第１のＵＥへの送信（および繰り返しの送信）をスケジュールする。この様式においては、良好なカバレッジエリアにおけるＵＥへの送信が、劣悪なまたは極限のカバレッジエリアにおけるＵＥへの繰り返される送信によってブロックされない。
【００１８】
さらに、それぞれのカバレッジレベルを設定するために、カバレッジレベルごとのしきい値（Ｒ＿ｔｘ＿ｔｈｒｅｓｈ）が使用される。たとえば、Ｒ＿ｔｘ＿ｔｈｒｅｓｈは、ＵＥへ到達するのに要する繰り返される送信の回数（たとえば、ＵＥが送信に肯定応答する前に行われる繰り返される送信の回数）に関するしきい値であることが可能である。繰り返された送信の回数に応じて、ネットワークノードは、ＵＥを特定のカバレッジレベルに割り振ることができる。それぞれのＲ＿ｔｘ＿ｔｈｒｅｓｈは、サブフレームの番号で測定されることが可能である。しきい値を指定することは、ＵＥのカバレッジレベルを特定するための唯一の方法ではなく、その他の基準も使用されることが可能である。１つの特定のカバレッジレベルに関する繰り返しの回数が満たされた場合には、送信全体が、長さＴ＿ｔｘを有する別々の部分へと分割され、長さＴ＿ｇａｐを有するギャップをそれぞれの部分の間に伴って送信されることになる。図１は、このコンセプトを示しており、このコンセプトでは、極限のカバレッジにおけるＵＥのための送信１００全体が、長さＴ＿ｔｘを有する４つの部分１１０へと分割されており、それぞれの部分１１０の送信の後に、同じ長さのギャップ１１５が続いている。ギャップ１１５中には、極限のカバレッジにおける同じまたはその他の任意のＵＥのための送信はスケジュールされない。このプロセスは、ＰＤＳＣＨチャネルおよびＰＤＣＣＨチャネルの両方に適用可能である。グリッド１０５は、図１において示されているように定期的に繰り返される。
【００１９】
ＰＤＳＣＨ送信またはＰＤＣＣＨ送信があり得ないグリッド１０５内のいくつかの無効なサブフレームがある場合には、それらの無効なサブフレームは、無視されることになり、ギャップ１１５または送信部分１１０内のサブフレームの数を数える上で考慮に入れられないことになる。本開示は、無効なサブフレームを取り扱うためのさまざまな方法を想定している。たとえば、グリッド１０５は、無効なサブフレームにおいて送信が生じないということを除いて、無効なサブフレームによって影響されない。別の例として、無効なサブフレームは、無効なサブフレームの挿入前と同じ数の有効なサブフレームをグリッド１０５が依然として含むような方法でグリッド１０５内に挿入される。結果として、グリッド１０５はより長くなる。
【００２０】
極限のカバレッジのＵＥのＰＤＳＣＨ／ＰＤＣＣＨの現在の送信に関する部分が送信されると、別の極限のカバレッジの送信が、同じまたは別のＵＥのためにスケジュールされることが可能である。ＵＥのためのＰＤＳＣＨおよびＰＤＣＣＨは、グリッド１０５の構造に基づいてスケジュールされる。ダウンリンクにおいてデータまたは制御を受信する必要がある極限のカバレッジレベルにおけるＵＥがない場合には、グリッド１０５全体が、その他のＵＥのためのデータまたは制御の受信のために使用されることが可能である。その一方で、極限のカバレッジにおけるＵＥのために送信されることが必要とされるいずれかの情報が到着している場合には、送信は、次のグリッド１０５まで遅延されるべきである。
【００２１】
Ｒ＿ｔｘ＿ｔｈｒｅｓｈ、Ｔ＿ｔｘ、およびＴ＿ｇａｐの選択は、繰り返しをまったくまたは少数しか伴わないＵＥによって許容されることが可能であるターゲット遅延に依存し、極限の数の繰り返しを有するＵＥに課されることがある追加の遅延にも依存する。また、ネットワークにおいてさまざまなカバレッジレベルを伴うＵＥのパーセンテージが考慮に入れられることが可能である。
【００２２】
この例は、２つのカバレッジレベル（良好なカバレッジエリア対劣悪なカバレッジエリア）のみを使用しているが、本開示は、ネットワークが、グリッド１０５Ａ、１０５Ｂ、１０５Ｃ、１０５Ｄを、任意の数のカバレッジレベルに対応するために任意の数の繰り返し期間１１０および非ブロッキング期間１１５を含むように分割することを想定している。たとえば、ネットワークは、第１のタイムフレーム１０５Ａの非ブロッキング期間１１５を別個のタイムフレームとして扱うこと、ならびにその非ブロッキング期間１１５を、第３のカバレッジレベルのためのさらに短い繰り返し期間、および第２のカバレッジレベルのためのさらに短い非ブロッキング期間へとさらに分割することが可能である。さらに短い繰り返し期間中に、ネットワークは、繰り返しが予測される第３のカバレッジレベルにおける第４のワイヤレスデバイスと通信することができる。さらに短い非ブロッキング期間中に、ネットワークは、第２のカバレッジレベルにおける第２のデバイス（および／または第３のデバイス）と通信することができる。
【００２３】
さらに、この例は、劣悪なカバレッジエリアにおける１つのＵＥのみを含むが、本開示は、ネットワークが、それぞれのタイムフレーム１０５Ａ、１０５Ｂ、１０５Ｃ、１０５Ｄにおける複数の繰り返し期間を使用して劣悪なカバレッジエリアにおける複数のＵＥと通信することを想定している。たとえば、ネットワークは、それぞれのタイムフレーム１０５Ａ、１０５Ｂ、１０５Ｃ、１０５Ｄを、劣悪なカバレッジエリアにおける２つのＵＥに対応するために２つの繰り返し期間を含むように分割することができる。それぞれのタイムフレーム１０５Ａ、１０５Ｂ、１０５Ｃ、１０５Ｄのギャップは、それらの２つの繰り返し期間の後に続くことになる。本開示はまた、ネットワークが、タイムフレーム１０５Ａ、１０５Ｂ、１０５Ｃ、１０５Ｄの非ブロッキング期間１１５中にメッセージを複数のデバイスへ通信することを想定している。
【００２４】
別の言い方をすれば、本開示は、ＰＤＳＣＨチャネルおよび／またはＰＤＣＣＨチャネルに関するＮＢ−ＩｏＴダウンリンクにおけるそれぞれのグリッド１０５Ａ、１０５Ｂ、１０５Ｃ、１０５Ｄ（グリッド設計とも呼ばれる）を、さまざまなカバレッジレベルを伴うＵＥのためのグリッドにおけるギャップを含むように分割することを想定している。それぞれのギャップは、さまざまなカバレッジレベルにおけるＵＥに対応する。ギャップが特定のカバレッジレベルに対応していない場合には、そのギャップ中に、その特定のカバレッジレベルは、ダウンリンクデータまたは制御情報を受信することができない。ギャップの構造は、その構造が、さまざまなカバレッジレベル（さまざまな回数の繰り返し）を伴うＵＥが通信のためにサポートされることが可能であるようにそれぞれのグリッド１０５Ａ、１０５Ｂ、１０５Ｃ、１０５Ｄ内に十分なリソースを提供するという点で効率的である。グリッド構造は、そのグリッド構造が、可能なＰＤＣＣＨ探索空間設計を伴うギャップ、ならびにさまざまなカバレッジレベルに関してＰＤＣＣＨによってスケジュールされるＰＤＳＣＨ送信の共存を可能にするように設計される。
【００２５】
本開示は、ＵＥへのメッセージの繰り返される送信について記述しているが、本開示は、繰り返される送信が、はじめに送信されたメッセージとすべての点で同じとは限らないメッセージのものであることが可能であると想定している。たとえば、繰り返しの送信のヘッダの特定の部分は、はじめの送信のヘッダの対応する部分と同じではない場合がある（たとえば、特定のカウンタどうしおよびタイムスタンプどうしは、異なるであろう）。メッセージの本文が同じである限り、後続の送信は、繰り返しの送信とみなされる。言い換えれば、第１のタイムフレーム１０５Ａの繰り返し期間１１０中に第１のワイヤレスデバイスへ通信されたメッセージは、第２のタイムフレーム１０５Ｂの繰り返し期間１１０中に第１のワイヤレスデバイスへ通信されたメッセージと比べて、同じ本文を有している一方で同じヘッダを有していない可能性がある。
【００２６】
さらに、本開示は、メッセージをワイヤレスデバイスへ通信することについて記述しているが、メッセージがワイヤレスデバイスへ通信されたとみなされるためには、そのメッセージがワイヤレスデバイスによって受信される必要はないということがわかる。たとえば、ネットワークは、劣悪なカバレッジエリアにおけるワイヤレスデバイスへメッセージを繰り返し送信する場合があるが、それらの送信のうちの１つしかワイヤレスデバイスによって受信されない場合がある。この例においては、メッセージのあらゆる送信（繰り返しの送信を含む）は、たとえあらゆる送信がワイヤレスデバイスによって受信されているとは限らなくても、メッセージをデバイスへ通信しているとみなされる。
【００２７】
図２は、例示的な送信時間２００が、極限のカバレッジにおける複数のデバイスに対応するグリッド２０５Ａ、２０５Ｂ、２０５Ｃへと分割されることを示している。複数のＵＥが極限のカバレッジにある場合には、グリッド２０５の構造は、極限のカバレッジを伴う複数のＵＥが、図２において示されているそれぞれのギャップ２２０の前にスケジュールされることが可能であるように構成されることが可能である。この例においては、それぞれのグリッド２０５においてスケジュールされている極限のカバレッジにおけるＮ＝２のＵＥがあり、グリッド２０５では、それらの送信が、長さＴ＿ｔｘを有する２つの異なる部分２１０および２１５へと分割される。同じＵＥの別々の部分が、別々のグリッド２０５において送信されることが可能である。極限のカバレッジ部分の送信後のそれぞれのグリッド２０５内には、ギャップ２２０が存在し、それによって、その他のＵＥがこのギャップ２２０内にスケジュールされることが可能である。この例は、極限のカバレッジにおける２つのＵＥのみを示しているが、本開示は、この発想が極限のカバレッジにおけるさらに多数のＵＥへ拡張されることが可能であると想定している。
【００２８】
本開示はまた、任意の数のカバレッジレベルを考慮するために繰り返し期間および／または非ブロッキング期間を細分することを想定している。図３は、グリッド３０５Ａ、３０５Ｂへと分割されている例示的な送信時間３００を示している。これらのグリッドは、繰り返し期間および非ブロッキング期間へと分割される。これらの期間は次いで、さらなるカバレッジレベルに対応するためにさらに分割される。たとえば、グリッド３０５Ａは最初に、３２５によって表される第１の期間、ならびに３１０、３１５、および３２０の組合せによって表される第２の期間という２つの期間へと分割される。第２の期間は次いで、３２０によって表される第３の期間、ならびに３１０および３１５の組合せによって表される第４の期間へと分割される。第４の期間は次いで、３１５によって表される第５の期間、および３１０によって表される第６の期間へと分割される。これらの期間のそれぞれは、さまざまなカバレッジレベルにおけるデバイスへメッセージを送信するために使用されることが可能である。
【００２９】
一般には、グリッド３０５の構造は、複数のカバレッジレベルを組み込むように拡張されることも可能である。それぞれのギャップ（たとえば、３１０、３１５、および３２０によって表されている期間）内で、より低いカバレッジレベルにおけるＵＥのためのさらなるギャップ（たとえば、３１０および３１５によって表されている期間）が規定されることが可能である。それぞれのカバレッジレベルに関して、ＰＤＣＣＨ／ＰＤＳＣＨの繰り返しの回数は、ギャップの長さよりも大きい場合があり、したがって、必要な回数の繰り返しを行うために複数のギャップ（たとえば、後続のグリッドのギャップ）が必要とされる場合があるが、繰り返しの回数は、次のカバレッジレベルのしきい値よりも大きいべきではなく、そのケースにおいては、それらは、次のカバレッジ送信時間を使用しなければならない。図３において見られるように、これは、特定の期間がその他の期間よりも長い（たとえば、期間３２０が期間３１５よりも長く、期間３２５が期間３１５および期間３２０の両方よりも長い）という結果をもたらす。したがって、それぞれのカバレッジレベル内でのＵＥの送信を管理するために、それぞれのレベルの送信は、別々の部分へと分割されることが可能であり、別々のグリッド３０５内で送信される。この方法は、図３において示されている。
【００３０】
この方法に基づいて、Ｎ個の異なるカバレッジレベルが含まれ、それぞれのレベルに関して、それぞれのグリッド内の特定のギャップエリアが含まれる。図３において示されている例においては、Ｎ＝４である。したがってＵＥは、さまざまなカバレッジレベル（繰り返しレベルとも呼ばれる）に分類される。カバレッジレベルを指定するための１つの方法は、さまざまなしきい値をセットアップすることによる方法である。しかしながら、その他の基準が存在することも可能であり、これは、さまざまなＵＥをさまざまなカバレッジレベルに分類するためのその他の方法を排除するものではなく、しきい値のセットをセットアップする必要性はない。しきい値が分類方法として設定される場合には、それぞれのレベルに関してＲ＿ｔｘ＿ｔｈｒｅｓｈ＿ｋが設定される。特定のＵＥのカバレッジレベルに到達するために必要とされる送信の回数がＲ＿ＵＥであって、かつＲ＿ｔｘ＿ｔｈｒｅｓｈ＿ｋ−１＜Ｒ＿ＵＥ＜Ｒ＿ｔｘ＿ｔｈｒｅｓ＿ｋである場合には、そのＵＥはカバレッジレベルｋ内にある。最初のカバレッジレベルに関しては、下限がゼロであり、最後のカバレッジレベルに関しては、上限がＲ＿ｍａｘであり、これは、繰り返しの最大可能回数である。
【００３１】
さらに、それぞれのレベルに関して、特定の送信時間Ｔ＿ｔｘ＿ｋおよび送信ギャップＴ＿ｇａｐ＿ｋが確立されることが可能である。図３においても示されているように、それぞれのレベルに関するギャップおよび送信時間は、より高いレベルのギャップ内で確立される。なぜなら、より高いレベルのギャップ外のサブフレームは、より高いカバレッジレベルにおけるＵＥへの送信のために使用されるからである。
【００３２】
ＵＥは、そのＵＥのためにスケジュールされているいずれかのＰＤＣＣＨがあるかどうかを、または自分のスケジュールされているＰＤＣＣＨの正確な場所を知らないので、そのＵＥが特定のＰＤＣＣＨ構成を盲目的にデコードし始める特定のサブフレームインデックスがある。可能なＰＤＣＣＨをデコードするために、さまざまなパラメータ、たとえば、さまざまな数の繰り返しレベルおよび／またはアグリゲーションレベルによって、さまざまなＰＤＣＣＨ構成が指定されることが可能である。グリッド構造に基づいて、ＵＥは、送信の可能性がある場合にのみＰＤＣＣＨ受信のためにスケジュールされることが可能である。ダウンリンクにおけるギャップに関して開始サブフレームのコンセプトおよびグリッド設計の共存をよりよくサポートするために、本開示は、グリッド構造における送信の可能性を開始サブフレームの機会と位置合わせすることを想定している。これは、図３においても示されている。
【００３３】
いくつかの実施形態においては、ギャップの構成に関する情報が、事前に規定された構成を伴って無線リソース制御（ＲＲＣ）シグナリングによってＵＥへ送信される。これはまた、それぞれのＰＤＳＣＨまたはＰＤＣＣＨに関してギャップ構造を使用するかどうかの可能性についての構成上の柔軟性をより多くスケジューラに与える。
【００３４】
一実施形態においては、データの繰り返し間にギャップを導入するために、および／または多数の繰り返しを必要とするＵＥへの送信を制御するために、グリッド構造においてダウンリンク送信が管理される。ギャップを除く、グリッドのその他の部分は、ギャップ中にいかなる情報も受信することを許可されておらず、かつ、ギャップ中に送信を行うことを許可されているＵＥと比較してさらに多数の繰り返しを必要とするＵＥへデータおよび制御情報を送信するために使用されることが可能である。
【００３５】
ギャップ中には、多数の繰り返しを伴うＵＥのためのダウンリンク送信の繰り返しは保留され、繰り返しをほとんどまたはまったく必要としないＵＥは、ダウンリンクにおいてデータを受信することができる。ギャップ後には、（しきい値に従って）多数の繰り返しを伴うＵＥへの送信が、次のグリッドにおいて継続される。
【００３６】
一実施形態においては、ＵＥは、さまざまなカバレッジレベル（繰り返しレベルとも呼ばれる）に分類される。カバレッジレベルを指定するための１つの方法は、さまざまなしきい値をセットアップすることによる方法である。しかしながら、その他の基準が存在することも可能であり、これは、さまざまなＵＥをさまざまなカバレッジレベルに分類するためのその他の方法を排除するものではなく、いかなるしきい値もセットアップする必要性はない。
【００３７】
グリッド構造は、さまざまなカバレッジレベルを含む。それぞれのカバレッジレベルは、それ自身のギャップを有する。しきい値が分類方法として適用されるケースにおいては、それらのしきい値は、それぞれのカバレッジレベルごとに確立され、それによって、連続したしきい値どうしのそれぞれのペアの間における複数の繰り返しを伴うＵＥは、対応するカバレッジレベルに属する。
【００３８】
最も多数の繰り返し、または最後のカバレッジクラスを伴うＵＥに関して、最大のギャップが確立される。最大のカバレッジレベルよりも低いが、より低いカバレッジレベルにおける繰り返しの回数を超える繰り返しの回数を伴うＵＥに関して、次に大きいギャップが確立される。このプロセスは、所望の数のカバレッジレベルがカバーされるまで継続されることになる。
【００３９】
より低いカバレッジレベルのギャップは、より高いカバレッジレベルのギャップ内で規定される。それぞれのグリッドにおけるそれぞれのカバレッジレベルの送信期間（そのカバレッジレベルに関するギャップとして指定されていないグリッド内の期間）内にスケジュールされているデータまたは制御シグナリングがない場合には、より低いカバレッジレベルを伴うＵＥは、この期間中にダウンリンクデータまたは制御シグナリングを受信するようにスケジュールされることが可能である。
【００４０】
図４Ａは、特定の実施形態による、リソースを割り当てるための例示的な方法４００を示すフローチャートである。特定の実施形態においては、図６および図１０において記述されているアクセスノードなど、ネットワークのアクセスノード（たとえば、ネットワークノードおよび／またはｅＮｏｄｅＢ）が、方法４００を実行する。方法４００を実行することによって、アクセスノードは、劣悪なまたは極限のカバレッジエリアにおけるＵＥが、良好なカバレッジエリアにおけるＵＥへの通信をブロックすることを防止することができる。
【００４１】
アクセスノードは、ステップ４０５において、ナローバンド物理ダウンリンク制御チャネル（ＮＢ−ＰＤＣＣＨ）またはナローバンド物理ダウンリンク共有チャネル（ＮＢ−ＰＤＳＣＨ）の送信時間の複数のタイムフレームのうちの少なくとも第１のタイムフレームおよび第２のタイムフレームの繰り返し期間中にナローバンドインターネットオブシングスダウンリンクを介して第１のワイヤレスデバイスへ第１のメッセージを通信することによって開始する。複数のタイムフレームのそれぞれのタイムフレームは、繰り返し期間およびギャップを含む。ステップ４１０において、アクセスノードは、第１のタイムフレームのギャップ中に第２のワイヤレスデバイスへ第２のメッセージを通信する。いくつかの実施形態においては、第１のタイムフレームにおいて第１のメッセージを通信した後に、ただし第２のタイムフレームにおいて第１のメッセージを通信する前に、第２のメッセージが通信されることが可能である。
【００４２】
特定の実施形態においては、上述の方法４００は、コンピュータネットワーキング仮想装置によって実行されることが可能である。図５は、特定の実施形態による、方法４００を実行するための例示的なコンピュータネットワーキング仮想装置５００を示している。特定の実施形態においては、コンピュータネットワーキング仮想装置５００は、図４において示され記述されている方法に関して上述されているステップと同様のステップを実行するためのモジュールを含むことができる。たとえば、コンピュータネットワーキング仮想装置５００は、少なくとも通信モジュール５０５およびその他の任意の適切なモジュールを含むことができる。いくつかの実施形態においては、それらのモジュールのうちの１つまたは複数は、図１０の処理回路１０２０を使用して実施されることが可能である。特定の実施形態においては、さまざまなモジュールのうちの複数の機能どうしが組み合わされて単一のモジュールになることが可能である。コンピュータネットワーキング仮想装置は、ｅＮｏｄｅＢなどのネットワークノードであることが可能である。
【００４３】
通信モジュール５０５は、コンピュータネットワーキング仮想装置５００の通信機能を実行することができる。たとえば、通信モジュール５０５は、複数のタイムフレームのうちの少なくとも第１のタイムフレームおよび第２のタイムフレームの繰り返し期間中に第１のワイヤレスデバイスへ第１のメッセージを通信すること、および／または第１のタイムフレームのギャップ中に第２のワイヤレスデバイスへ第２のメッセージを通信することが可能である。
【００４４】
図４Ｂは、特定の実施形態による、リソースを割り当てるための例示的な方法４１５を示すフローチャートである。特定の実施形態においては、図６および図１０において記述されているアクセスノードなど、ネットワークのアクセスノード（たとえば、ｅＮｏｄｅＢ）が、方法４１５を実行する。方法４１５を実行することによって、アクセスノードは、劣悪なまたは極限のカバレッジエリアにおけるＵＥが、良好なカバレッジエリアにおけるＵＥへの通信をブロックすることを防止することができる。
【００４５】
アクセスノードは、ステップ４２０において、送信時間を複数のタイムフレームへと分割することであって、それぞれのタイムフレームが繰り返し期間および非ブロッキング期間を含む、分割することを行うことによって開始する。本開示は、分割ステップ（ステップ４２０）は必須ではないと想定している。アクセスノードは次いで、ステップ４２５において、複数のタイムフレームのうちの第１のタイムフレームの繰り返し期間中に第１のカバレッジレベルにある第１のワイヤレスデバイスへ第１のメッセージを通信する。ステップ４３０において、アクセスノードは、第１のタイムフレームの非ブロッキング期間中に第２のカバレッジレベルにある第２のワイヤレスデバイスへ第２のメッセージを通信する。アクセスノードは次いで、ステップ４３５において、複数のタイムフレームのうちの第２のタイムフレームの繰り返し期間中に第１のワイヤレスデバイスへ第１のメッセージを通信する。ステップ４４０において、アクセスノードは、第２のタイムフレームの非ブロッキング期間中に第２のカバレッジレベルにある第３のワイヤレスデバイスへ第３のメッセージを通信する。
【００４６】
特定の実施形態においては、上述の方法４１５は、図５のコンピュータネットワーキング仮想装置５００によって実行されることが可能である。コンピュータネットワーキング仮想装置５００は、図４Ｂにおいて示され記述されている方法に関して上述されているステップと同様のステップを実行するためのさらなるモジュールを含むことができる。たとえば、コンピュータネットワーキング仮想装置５００は、少なくとも１つの分割モジュール５１０およびその他の任意の適切なモジュールを含むことができる。いくつかの実施形態においては、それらのモジュールのうちの１つまたは複数は、図１０の１つまたは複数のプロセッサ１０２０を使用して実施されることが可能である。特定の実施形態においては、さまざまなモジュールのうちの複数の機能どうしが組み合わされて単一のモジュールになることが可能である。
【００４７】
分割モジュール５１０は、コンピュータネットワーキング仮想装置５００の分割機能を実行することができる。たとえば、分割モジュール５１０は、送信時間を複数のタイムフレームへと分割することができ、それぞれのタイムフレームは、繰り返し期間および非ブロッキング期間を含む。
【００４８】
通信モジュール５０５は、コンピュータネットワーキング仮想装置５００の通信機能を実行することができる。たとえば、通信モジュールは、複数のタイムフレームのうちの第１のタイムフレームの繰り返し期間中に第１のカバレッジレベルにある第１のワイヤレスデバイスへ第１のメッセージを通信すること、第１のタイムフレームの非ブロッキング期間中に第２のカバレッジレベルにある第２のワイヤレスデバイスへ第２のメッセージを通信すること、複数のタイムフレームのうちの第２のタイムフレームの繰り返し期間中に第１のワイヤレスデバイスへ第１のメッセージを通信すること、および／または第２のタイムフレームの非ブロッキング期間中に第２のカバレッジレベルにある第３のワイヤレスデバイスへ第３のメッセージを通信することが可能である。
【００４９】
コンピュータネットワーキング仮想装置５００のその他の実施形態は、上述の機能性のうちのいずれか、および／または任意のさらなる機能性（上述のソリューションをサポートするために必要な任意の機能性を含む）を含むネットワーク機能性の特定の態様を提供することを担当することができる、図５において示されているコンポーネントを超えるさらなるコンポーネントを含むことができる。さまざまな異なるタイプのネットワークデバイスが、同じ物理的なハードウェアを有する一方でさまざまな無線アクセステクノロジーをサポートするように（たとえば、プログラミングを介して）構成されているコンポーネントを含むことができ、または部分的にもしくは全体的に別々の物理的なコンポーネントに相当することが可能である。
【００５０】
本開示は、記述されている機能のうちのいずれかが、図６において記述されているネットワーク、図７において記述されているワイヤレスデバイス、および／または図１０において記述されている無線ネットワークノードにおいて実施されると想定している。
【００５１】
図６は、特定の実施形態による例示的なネットワーク６００を示している。ネットワーク６００は、１つまたは複数のワイヤレスデバイス６１０Ａ〜Ｃ（これらは、ワイヤレスデバイス６１０またはＵＥ６１０と交換可能に呼ばれることが可能である）と、ネットワークノード６１５Ａ〜Ｃ（これらは、ネットワークノード６１５、アクセスノード（ＡＮ）６１５、またはｅＮｏｄｅＢ  ６１５と交換可能に呼ばれることが可能である）と、コアネットワークノード６２０とを含む。ワイヤレスデバイス６１０は、ワイヤレスインターフェースを介してネットワークノード６１５と通信することができる。たとえば、ワイヤレスデバイス６１０Ａは、ネットワークノード６１５のうちの１つもしくは複数へワイヤレス信号を送信すること、および／またはネットワークノード６１５のうちの１つもしくは複数からワイヤレス信号を受信することが可能である。ワイヤレス信号は、音声トラフィック、データトラフィック、制御信号、および／またはその他の任意の適切な情報を含むことができる。いくつかの実施形態においては、ネットワークノード６１５に関連付けられているワイヤレス信号カバレッジのエリアは、セルと呼ばれることが可能である。たとえば、ワイヤレスデバイス６１０は、グリッド構造と、どのギャップにおいてワイヤレスがネットワークノード６１５からの送信を受信すると予想することができるかとを示す制御信号をネットワークノード６１５から受信することができる。いくつかの実施形態においては、ワイヤレスデバイス６１０は、Ｄ２Ｄ能力を有することができる。したがって、ワイヤレスデバイス６１０は、別のワイヤレスデバイス６１０から信号を受信すること、および／または別のワイヤレスデバイス６１０へ直接に信号を送信することが可能であり得る。たとえば、ワイヤレスデバイス６１０Ａは、ワイヤレスデバイス６１０Ｂから信号を受信すること、および／またはワイヤレスデバイス６１０Ｂへ信号を送信することが可能であり得る。
【００５２】
コアネットワークノード６２０は、通信セッションの確立を管理すること、およびワイヤレス通信デバイス６１０のためのその他のさまざまな機能性を提供することが可能である。ワイヤレス通信デバイス６１０は、非アクセス層レイヤを使用してコアネットワークノード６２０との間で特定の信号をやり取りする。非アクセス層（ＮＡＳ）シグナリングにおいては、ワイヤレス通信デバイス６１０とコアネットワークノード６２０との間における信号は、ネットワークノード６１５をトランスペアレントに通過する。
【００５３】
上述のように、ネットワーク６００の例示的な実施形態は、１つまたは複数のワイヤレスデバイス６１０と、ワイヤレスデバイス６１０と（直接にまたは間接的に）通信することができる１つまたは複数の別々のタイプのネットワークノードとを含むことができる。ワイヤレスデバイス６１０は、セルラーまたは移動体通信システムにおいてノードと、および／または別のワイヤレスデバイスと通信する任意のタイプのワイヤレスデバイスを指すことが可能である。ワイヤレスデバイス６１０の例は、モバイル電話、スマートフォン、ＰＤＡ（Ｐｅｒｓｏｎａｌ  Ｄｉｇｉｔａｌ  Ａｓｓｉｓｔａｎｔ）、ポータブルコンピュータ（たとえば、ラップトップ、タブレット）、センサ、モデム、マシン型通信（ＭＴＣ）デバイス／マシンツーマシン（Ｍ２Ｍ）デバイス、ＬＥＥ（ｌａｐｔｏｐ  ｅｍｂｅｄｄｅｄ  ｅｑｕｉｐｍｅｎｔ）、ＬＭＥ（ｌａｐｔｏｐ  ｍｏｕｎｔｅｄ  ｅｑｕｉｐｍｅｎｔ）、ＵＳＢ（ｕｎｉｖｅｒｓａｌ  ｓｅｒｉａｌ  ｂｕｓ）ドングル、Ｄ２Ｄ（ｄｅｖｉｃｅ−ｔｏ−ｄｅｖｉｃｅ）対応デバイス、ＮＢ−ＩｏＴデバイス、または、ワイヤレス通信を提供することができる別のデバイスを含む。ワイヤレスデバイス６１０は、いくつかの実施形態においては、ＵＥ、ステーション（ＳＴＡ）、デバイス、または端末と呼ばれることも可能である。また、いくつかの実施形態においては、「無線ネットワークノード」（または単に「ネットワークノード」）という一般的な用語が使用される。無線ネットワークノードは、Ｎｏｄｅ  Ｂ、基地局（ＢＳ）、ＭＳＲ  ＢＳなどのマルチスタンダード無線（ＭＳＲ）無線ノード、ｅＮｏｄｅ  Ｂ、ネットワークコントローラ、無線ネットワークコントローラ（ＲＮＣ）、基地局コントローラ（ＢＳＣ）、リレー、リレーを制御するドナーノード、ベーストランシーバステーション（ＢＴＳ）、アクセスポイント（ＡＰ）、送信ポイント、送信ノード、ＲＲＵ（ｒｅｍｏｔｅ  ｒａｄｉｏ  ｕｎｉｔ）、ＲＲＨ（ｒｅｍｏｔｅ  ｒａｄｉｏ  ｈｅａｄ）、分散アンテナシステム（ＤＡＳ）におけるノード、コアネットワークノード（たとえば、ＭＳＣ、ＭＭＥなど）、Ｏ＆Ｍ（ｏｐｅｒａｔｉｏｎｓ  ａｎｄ  ｍａｉｎｔｅｎａｎｃｅ）、ＯＳＳ（たとえば、ｏｂｊｅｃｔ  ｓｔｏｒａｇｅ  ｓｅｒｖｅｒ）、ＳＯＮ（ｓｅｌｆ−ｏｒｇａｎｉｚｉｎｇ  ｎｅｔｗｏｒｋ）、測位ノード（たとえば、Ｅ−ＳＭＬＣ）、ＭＤＴ、または任意の適切なネットワークノードを含むことができる任意の種類のネットワークノードであることが可能である。ワイヤレス通信デバイス６１０、ネットワークノード６１５、およびコアネットワークノード６２０のそれぞれは、ハードウェアおよび／またはソフトウェアの任意の適切な組合せを含む。ワイヤレスデバイス６１０およびネットワークノード６１５の例示的な実施形態が、それぞれ図７および図１０に関連してさらに詳細に記述されている。
【００５４】
特定の実施形態においては、ネットワークノード６１５は、無線ネットワークコントローラ６３０とのインターフェースを取ることができる。無線ネットワークコントローラ６３０は、ネットワークノード６１５を制御することができ、特定の無線リソース管理機能、モビリティー管理機能、および／またはその他の適切な機能を提供することができる。特定の実施形態においては、無線ネットワークコントローラ６３０は、相互接続ネットワーク６２５を介してコアネットワークノード６２０とのインターフェースを取ることができる。相互接続ネットワーク６２５は、オーディオ、ビデオ、信号、データ、メッセージ、または前述のものの任意の組合せを送信することができる任意の相互接続システムを指すことが可能である。相互接続ネットワークは、公衆交換電話ネットワーク（ＰＳＴＮ）、公衆データネットワークまたはプライベートデータネットワーク、ローカルエリアネットワーク（ＬＡＮ）、メトロポリタンエリアネットワーク（ＭＡＮ）、ワイドエリアネットワーク（ＷＡＮ）、ローカルの、地域の、またはグローバルな通信ネットワークまたはコンピュータネットワーク、たとえば、インターネット、有線ネットワークまたはワイヤレスネットワーク、企業イントラネット、またはその他の任意の適切な通信リンク（それらの組合せを含む）のすべてまたは一部を含むことができる。
【００５５】
図６は、ネットワーク６００の特定のアレンジを示しているが、本開示は、本明細書において記述されているさまざまな実施形態が、任意の適切な構成を有しているさまざまなネットワークに適用されることが可能であると想定している。たとえば、ネットワーク６００は、任意の適切な数のワイヤレスデバイス６１０およびネットワークノード６１５、ならびに、ワイヤレスデバイス間における、またはワイヤレスデバイスと別の通信デバイス（地上通信線電話など）との間における通信をサポートするのに適しているさらなる任意の要素を含むことができる。特定の実施形態においては、ワイヤレス通信デバイス６１０、ネットワークノード６１５、およびコアネットワークノード６２０は、任意の適切な無線アクセステクノロジー、たとえば、ｌｏｎｇ  ｔｅｒｍ  ｅｖｏｌｕｔｉｏｎ（ＬＴＥ）、ＬＴＥ−Ａｄｖａｎｃｅｄ、ＵＭＴＳ（ｕｎｉｖｅｒｓａｌ  ｍｏｂｉｌｅ  ｔｅｌｅｃｏｍｍｕｎｉｃａｔｉｏｎｓ  ｓｅｒｖｉｃｅ）、ＨＳＰＡ（ｈｉｇｈ  ｓｐｅｅｄ  ｐａｃｋｅｔ  ａｃｃｅｓｓ）、ＧＳＭ（ｇｌｏｂａｌ  ｓｙｓｔｅｍ  ｆｏｒ  ｍｏｂｉｌｅ  ｃｏｍｍｕｎｉｃａｔｉｏｎ）、ｃｄｍａ２０００、ＷｉＭＡＸ、ＷｉＦｉ、別の適切な無線アクセステクノロジー、または１つもしくは複数の無線アクセステクノロジーの任意の適切な組合せを使用する。例示の目的で、さまざまな実施形態が、特定の無線アクセステクノロジーのコンテキスト内で記述されている場合がある。しかしながら、本開示の範囲は、それらの例には限定されず、その他の実施形態は、さまざまな無線アクセステクノロジーを使用することができる。
【００５６】
図７は、特定の実施形態による例示的なワイヤレスデバイス６１０のブロック概略図である。ワイヤレスデバイス６１０は、セルラーまたは移動体通信システムにおいてノードと、および／または別のワイヤレスデバイスと通信する任意のタイプのワイヤレスデバイスを指すことが可能である。ワイヤレスデバイス６１０の例は、モバイル電話、スマートフォン、ＰＤＡ（Ｐｅｒｓｏｎａｌ  Ｄｉｇｉｔａｌ  Ａｓｓｉｓｔａｎｔ）、ポータブルコンピュータ（たとえば、ラップトップ、タブレット）、センサ、モデム、マシン型通信（ＭＴＣ）デバイス／マシンツーマシン（Ｍ２Ｍ）デバイス、ＬＥＥ（ｌａｐｔｏｐ  ｅｍｂｅｄｄｅｄ  ｅｑｕｉｐｍｅｎｔ）、ＬＭＥ（ｌａｐｔｏｐ  ｍｏｕｎｔｅｄ  ｅｑｕｉｐｍｅｎｔ）、ＵＳＢドングル、デバイスツーデバイス対応デバイス、ＮＢ−ＩｏＴデバイス、または、ワイヤレス通信を提供することができる別のデバイスを含む。ワイヤレスデバイス６１０は、いくつかの実施形態においては、ユーザ機器（ＵＥ）、ステーション（ＳＴＡ）、デバイス、または端末と呼ばれることも可能である。本開示の実施形態によれば、ＵＥは、車両内にあること、車両へと統合されること、または車両にその他の形で接続されることが可能である。
【００５７】
ワイヤレスデバイス６１０は、トランシーバ７１０、処理回路７２０、メモリ７３０、およびアンテナ７４０を含む。いくつかの実施形態においては、トランシーバ７１０は、（たとえば、アンテナ７４０を介して）ネットワークノードへワイヤレス信号を送信することおよびネットワークノードからワイヤレス信号を受信することを容易にし、処理回路７２０は、ワイヤレスデバイス６１０によって提供されるものとして上述されている機能性のうちのいくつかまたはすべてを提供するための命令を実行し、メモリ７３０は、処理回路７２０によって実行される命令を格納する。
【００５８】
処理回路７２０は、ワイヤレスデバイス６１０の記述されている機能のうちのいくつかまたはすべてを実行する目的で命令を実行するために、およびデータを操作するために１つまたは複数のモジュールにおいて実施されるハードウェアおよび／またはソフトウェアの任意の適切な組合せを含むことができる。いくつかの実施形態においては、処理回路７２０は、たとえば、１つもしくは複数のコンピュータ、１つもしくは複数の中央処理装置（ＣＰＵ）、１つもしくは複数のマイクロプロセッサ、１つもしくは複数のアプリケーション、および／またはその他のロジックを含むことができる。処理回路７２０は、ネットワークノードから受信されたメッセージを受信して処理することができる。たとえば、処理回路７２０は、ネットワークノードからの制御メッセージを処理して、グリッド構造と、いつワイヤレスデバイス６１０がネットワークノードからの送信を予想することができるかとを特定することができる。
【００５９】
メモリ７３０は一般に、ロジック、ルール、アルゴリズム、コード、テーブルなどのうちの１つもしくは複数を含むコンピュータプログラム、ソフトウェア、アプリケーションなどの命令、および／または処理回路７２０によって実行されることが可能であるその他の命令を格納するように動作可能である。メモリ７３０の例は、コンピュータメモリ（たとえば、ランダムアクセスメモリ（ＲＡＭ）もしくは読み取り専用メモリ（ＲＯＭ））、マスストレージメディア（たとえば、ハードディスク）、取り外し可能なストレージメディア（たとえば、コンパクトディスク（ＣＤ）もしくはデジタルビデオディスク（ＤＶＤ））、ならびに／または、情報を格納するその他の任意の揮発性もしくは不揮発性の非一時的な、コンピュータによって読み取り可能なおよび／もしくはコンピュータによって実行可能なメモリデバイスを含む。処理回路７２０およびメモリ７３０は、本明細書において記述されているＵＥの機能のうちのいずれかを実行するように構成されることが可能であると想定される。
【００６０】
示されているワイヤレスデバイスは、ハードウェアおよび／またはソフトウェアの任意の適切な組合せを含む通信デバイスに相当することが可能である。ワイヤレスデバイス６１０のその他の実施形態は、上述の機能性のうちのいずれか、および／または任意のさらなる機能性（上述のソリューションをサポートするために必要な任意の機能性を含む）を含むワイヤレスデバイスの機能性の特定の態様を提供することを担当することができる、図７において示されているコンポーネントを超えるさらなるコンポーネントを含むことができる。特定の実施形態においては、ＵＥおよび／またはその他の任意のタイプのワイヤレス通信デバイスによって提供されるものとして上述されている機能性のうちのいくつかまたはすべては、メモリ７３０などのコンピュータ可読メディア上に格納されている命令を実行する処理回路７２０によって提供されることが可能である。特定の実施形態においては、モバイル通信デバイスまたはその他の形態のＵＥによって提供されるものとして上述されている機能性のうちのいくつかまたはすべては、図７において示されているメモリ７３０などのコンピュータ可読メディア上に格納されている命令を実行するＵＥ処理回路７２０によって提供されることが可能である。
【００６１】
図８は、特定の実施形態による、リソースを割り当てるための方法８００を示すフローチャートである。特定の実施形態においては、ワイヤレスデバイス６１０は、方法８００を実行する。方法８００を実行することによって、ワイヤレスデバイス６１０は、ネットワーク上のその他のワイヤレスデバイス６１０に向けられている送信をブロックすることを回避することができる。加えて、ワイヤレスデバイス６１０は、自分のメッセージおよび送信がネットワーク上のその他のワイヤレスデバイス６１０によってブロックされることを回避することができる。
【００６２】
ワイヤレスデバイス６１０は、ステップ８０５において、ナローバンド物理ダウンリンク制御チャネル（ＮＢ−ＰＤＣＣＨ）を介した通信が通信されるようにスケジュールされているサブフレームを示す構成を、ナローバンドインターネットオブシングスダウンリンクを介して受信することによって開始することができる。ステップ８１０において、ワイヤレスデバイス６１０は、その構成によって示されているサブフレームにおいてＮＢ−ＰＤＣＣＨを介して通信を受信する。次いでステップ８１５において、ワイヤレスデバイス６１０は、通信をデコードする。
【００６３】
特定の実施形態においては、上述の方法８００は、コンピュータネットワーキング仮想装置によって実行されることが可能である。図９は、特定の実施形態による、方法８００を実行するための例示的なコンピュータネットワーキング仮想装置９００を示している。特定の実施形態においては、仮想コンピューティングデバイス９００は、図８において示され記述されている方法に関して上述されているステップと同様のステップを実行するためのモジュールを含むことができる。たとえば、コンピュータネットワーキング仮想装置９００は、少なくとも受信モジュール９１０、デコーディングモジュール９１５、およびその他の任意の適切なモジュールを含むことができる。いくつかの実施形態においては、それらのモジュールのうちの１つまたは複数は、図７の処理回路７２０を使用して実施されることが可能である。特定の実施形態においては、さまざまなモジュールのうちの複数の機能どうしが組み合わされて単一のモジュールになることが可能である。コンピュータネットワーキング仮想装置は、ワイヤレスデバイス６１０であること、またはワイヤレスデバイス６１０において実施されることが可能である。
【００６４】
受信モジュール９１０は、コンピュータネットワーキング仮想装置９００の受信機能を実行することができる。たとえば、受信モジュール９１０は、サブフレームを示す構成を受信して、そのサブフレームにおいてＮＢ−ＰＤＣＣＨを介して通信を受信することができる。デコーディングモジュール９１５は、通信をデコードすることができる。
【００６５】
コンピュータネットワーキング仮想装置９００のその他の実施形態は、上述の機能性のうちのいずれか、および／または任意のさらなる機能性（上述のソリューションをサポートするために必要な任意の機能性を含む）を含むネットワーク機能性の特定の態様を提供することを担当することができる、図９において示されているコンポーネントを超えるさらなるコンポーネントを含むことができる。さまざまな異なるタイプのネットワークデバイスが、同じ物理的なハードウェアを有する一方でさまざまな無線アクセステクノロジーをサポートするように（たとえば、プログラミングを介して）構成されているコンポーネントを含むことができ、または部分的にもしくは全体的に別々の物理的なコンポーネントに相当することが可能である。
【００６６】
図１０は、特定の実施形態による例示的なネットワークノード６１５のブロック概略図である。ネットワークノード６１５は、ＵＥと、および／または別のネットワークノードと通信する任意のタイプの無線ネットワークノードまたは任意のネットワークノードであることが可能である。ネットワークノード６１５の例は、ｅＮｏｄｅＢ、ｎｏｄｅ  Ｂ、基地局、ワイヤレスアクセスポイント（たとえば、Ｗｉ−Ｆｉアクセスポイント）、低電力ノード、ベーストランシーバステーション（ＢＴＳ）、リレー、リレーを制御するドナーノード、送信ポイント、送信ノード、リモートＲＦユニット（ＲＲＵ）、リモート無線ヘッド（ＲＲＨ）、ＭＳＲ  ＢＳなどのマルチスタンダード無線（ＭＳＲ）無線ノード、分散アンテナシステム（ＤＡＳ）におけるノード、Ｏ＆Ｍ、ＯＳＳ、ＳＯＮ、測位ノード（たとえば、Ｅ−ＳＭＬＣ）、ＭＤＴ、またはその他の任意の適切なネットワークノードを含む。ネットワークノード６１５は、ホモジーニアスな展開、ヘテロジーニアスな展開、または混合された展開としてネットワークを通じて展開されることが可能である。ホモジーニアスな展開は一般に、同じ（もしくは同様の）タイプのネットワークノード６１５ならびに／または同様のカバレッジおよびセルサイズおよびサイト間距離から構成されている展開を記述することができる。ヘテロジーニアスな展開は一般に、別々のセルサイズ、送信パワー、キャパシティー、およびサイト間距離を有するさまざまなタイプのネットワークノード６１５を使用している展開を記述することができる。たとえば、ヘテロジーニアスな展開は、マクロセルレイアウトを通じて配置されている複数の低電力ノードを含むことができる。混合された展開は、ホモジーニアスな部分およびヘテロジーニアスな部分の混合を含むことができる。
【００６７】
ネットワークノード６１５は、トランシーバ１０１０、処理回路１０２０、メモリ１０３０、ネットワークインターフェース１０４０、およびアンテナ１０５０のうちの１つまたは複数を含むことができる。いくつかの実施形態においては、トランシーバ１０１０は、（たとえば、アンテナ１０５０を介して）ワイヤレスデバイス６１０へワイヤレス信号を送信することおよびワイヤレスデバイス６１０からワイヤレス信号を受信することを容易にし、処理回路１０２０は、ネットワークノード６１５によって提供されるものとして上述されている機能性のうちのいくつかまたはすべてを提供するための命令を実行し、メモリ１０３０は、処理回路１０２０によって実行される命令を格納し、ネットワークインターフェース１０４０は、バックエンドネットワークコンポーネント、たとえば、ゲートウェイ、スイッチ、ルータ、インターネット、公衆交換電話ネットワーク（ＰＳＴＮ）、コアネットワークノード、または無線ネットワークコントローラなどへ信号を通信する。いくつかの実施形態においては、処理回路１０２０は、送信時間を繰り返し期間および非ブロッキング期間へと分割する。処理回路１０２０はまた、繰り返し期間および非ブロッキング期間中に別々のＵＥへメッセージを通信する、および／またはメッセージが通信されるようにスケジュールする。
【００６８】
ネットワークノード６１５は、本明細書において記述されている機能を実行するように構成されることが可能である。たとえば、ネットワークノード６１５は、送信時間をタイムフレームまたはグリッドへと分割するように構成されることが可能である。ネットワークノード６１５は、それぞれのグリッドを繰り返し期間および非ブロッキング期間へとさらに分割することができる。繰り返し期間中には、ネットワークノード６１５は、貧弱なまたは極限のカバレッジレベルにおけるワイヤレスデバイスへメッセージを通信することができる（たとえば、これらのデバイスへ到達するためには、多くの繰り返される送信が必要とされる）。非ブロッキング期間中には、ネットワークノード６１５は、良好なカバレッジレベルにおけるワイヤレスデバイスへメッセージを通信することができる（たとえば、これらのデバイスへ到達するためには、繰り返される送信がまったくまたはほとんど必要とされない）。ネットワークノード６１５は、さらなるカバレッジレベルを考慮するために非ブロッキング期間の繰り返し期間をさらに細分することができる。この様式においては、貧弱なカバレッジレベルにおけるデバイスへ到達するために必要とされる場合がある繰り返しの送信が、良好なまたはより良好なカバレッジレベルにおけるデバイスへの送信を遅延させないことまたはブロックしないことが可能である。ネットワークノード６１５は、任意の適切な尺度に基づいてＵＥを特定のカバレッジレベルに割り振ることができる。たとえば、ネットワークノード６１５は、ＵＥへ到達するのに要する送信の回数に基づいてＵＥを特定のカバレッジレベルに割り振ることができる。ネットワークノード６１５は、ＵＥへ到達するのに要する送信の回数に関するしきい値を使用してカバレッジレベルを規定することができる（たとえば、それぞれのカバレッジレベルは、下限しきい値および上限しきい値によって規定されることが可能である）。特定のＵＥへ到達するのに要する送信の回数が、カバレッジレベルに関する上限しきい値を超えた場合、または下限しきい値を下回った場合には、ネットワークノードは、そのＵＥを、より貧弱なまたはより良好なカバレッジレベルにそれぞれ割り振ることができる。この様式においては、ネットワークノード６１５は、ＵＥへ到達するのにさらに多くの繰り返される送信を要する場合には、そのＵＥをより貧弱なカバレッジレベルに割り振ることができる。たとえば、第２のＵＥと比べて、第１のＵＥへ到達するのにさらに多くの繰り返される送信が必要とされる場合には、第１のＵＥは、第２のＵＥと比べて、より貧弱なカバレッジレベルに割り振られることが可能である。
【００６９】
処理回路１０２０は、ネットワークノード６１５の記述されている機能のうちのいくつかまたはすべてを実行する目的で命令を実行するために、およびデータを操作するために１つまたは複数のモジュールにおいて実施されるハードウェアおよびソフトウェアの任意の適切な組合せを含むことができる。いくつかの実施形態においては、処理回路１０２０は、たとえば、１つもしくは複数のコンピュータ、１つもしくは複数の中央処理装置（ＣＰＵ）、１つもしくは複数のマイクロプロセッサ、１つもしくは複数のアプリケーション、および／またはその他のロジックを含むことができる。処理回路１０２０は、本明細書において記述されているネットワークノード６１５の機能を実行することができる。たとえば、処理回路１０２０は、送信時間を１つまたは複数の繰り返し期間および１つまたは複数の非ブロッキング期間へと分割することができる。処理回路１０２０は、どの期間（繰り返しまたは非ブロッキング）においてワイヤレスデバイスへの送信が行われるべきであるかを特定することができる。処理回路１０２０は、特定のデバイスがどのカバレッジレベルにあるかを特定して、本明細書において記述されているようにそのワイヤレスデバイスへメッセージを送信することもできる。処理回路１０２０は、ワイヤレスデバイスへ到達するのに要する送信の回数を検知して、その検知された回数に従ってワイヤレスデバイスを特定のカバレッジレベルに割り振ることもできる。
【００７０】
メモリ１０３０は一般に、ロジック、ルール、アルゴリズム、コード、テーブルなどのうちの１つもしくは複数を含むコンピュータプログラム、ソフトウェア、アプリケーションなどの命令、および／または処理回路１０２０によって実行されることが可能であるその他の命令を格納するように動作可能である。メモリ１０３０の例は、コンピュータメモリ（たとえば、ランダムアクセスメモリ（ＲＡＭ）もしくは読み取り専用メモリ（ＲＯＭ））、マスストレージメディア（たとえば、ハードディスク）、取り外し可能なストレージメディア（たとえば、コンパクトディスク（ＣＤ）もしくはデジタルビデオディスク（ＤＶＤ））、ならびに／または、情報を格納するその他の任意の揮発性もしくは不揮発性の非一時的な、コンピュータによって読み取り可能なおよび／もしくはコンピュータによって実行可能なメモリデバイスを含む。
【００７１】
いくつかの実施形態においては、ネットワークインターフェース１０４０は、処理回路１０２０に通信可能に結合されており、ネットワークノード６１５のための入力を受信すること、ネットワークノード６１５からの出力を送信すること、入力もしくは出力もしくは両方の適切な処理を実行すること、その他のデバイスへ通信すること、または前述のことの任意の組合せを行うように動作可能な任意の適切なデバイスを指すことが可能である。ネットワークインターフェース１０４０は、ネットワークを通じて通信するために、適切なハードウェア（たとえば、ポート、モデム、ネットワークインターフェースカードなど）およびソフトウェア（プロトコル変換およびデータ処理能力を含む）を含むことができる。
【００７２】
特定の実施形態においては、ネットワークノード６１５は、通信モジュールおよびその他の任意の適切なモジュールを含むことができる。いくつかの実施形態においては、通信モジュールまたはその他の任意の適切なモジュールのうちの１つまたは複数は、図１０の処理回路１０２０を使用して実施されることが可能である。特定の実施形態においては、さまざまなモジュールのうちの複数の機能どうしが組み合わされて単一のモジュールになることが可能である。通信モジュールは、ネットワークノード６１５の送信機能を実行することができる。通信モジュールは、ワイヤレスデバイス６１０のうちの１つまたは複数へメッセージを送信することができる。特定の実施形態においては、通信モジュールは、送信のためのメッセージおよび／または信号を受信モジュールにおいて受信することができる。受信モジュールは、ネットワークノード６１５の受信機能を実行することができる。受信モジュールは、ワイヤレスデバイスから任意の適切な情報を受信することができる。受信モジュールは、受信機および／またはトランシーバを含むことができる。受信モジュールは、メッセージおよび／または信号をワイヤレスに受信するように構成されている回路を含むことができる。特定の実施形態においては、受信モジュールは、受信されたメッセージおよび／または信号を任意の適切なモジュールへ通信することができる。
【００７３】
図１０の示されているネットワークノード６１５は、ハードウェアおよび／またはソフトウェアの任意の適切な組合せを含むネットワークノードに相当することが可能である。ネットワークノード６１５のその他の実施形態は、上述の機能性のうちのいずれか、および／または任意のさらなる機能性（上述のソリューションをサポートするために必要な任意の機能性を含む）を含む無線ネットワークノードの機能性の特定の態様を提供することを担当することができる、図１０において示されているコンポーネントを超えるさらなるコンポーネントを含むことができる。さまざまな異なるタイプのネットワークノードが、同じ物理的なハードウェアを有する一方でさまざまな無線アクセステクノロジーをサポートするように（たとえば、プログラミングを介して）構成されているコンポーネントを含むことができ、または部分的にもしくは全体的に別々の物理的なコンポーネントに相当することが可能である。特定の実施形態においては、ネットワークノード６１５によって提供されるものとして上述されている機能性のうちのいくつかまたはすべては、図１０において示されているメモリ１０３０などのコンピュータ可読メディア上に格納されている命令を実行するノード処理回路１０２０によって提供されることが可能である。
【００７４】
図１１は、特定の実施形態による例示的な無線ネットワークコントローラ６３０またはコアネットワークノード６２０のブロック概略図である。ネットワークノードの例は、モバイルスイッチングセンター（ＭＳＣ）、サービングＧＰＲＳサポートノード（ＳＧＳＮ）、モビリティー管理エンティティー（ＭＭＥ）、無線ネットワークコントローラ（ＲＮＣ）、基地局コントローラ（ＢＳＣ）などを含むことができる。無線ネットワークコントローラ６３０またはコアネットワークノード６２０は、プロセッサ１１２０、メモリ１１３０、およびネットワークインターフェース１１４０を含む。いくつかの実施形態においては、プロセッサ１１２０は、ネットワークノードによって提供されるものとして上述されている機能性のうちのいくつかまたはすべてを提供するための命令を実行し、メモリ１１３０は、プロセッサ１１２０によって実行される命令を格納し、ネットワークインターフェース１１４０は、任意の適切なノード、たとえば、ゲートウェイ、スイッチ、ルータ、インターネット、公衆交換電話ネットワーク（ＰＳＴＮ）、ネットワークノード６１５、無線ネットワークコントローラ６３０、またはコアネットワークノード６２０などへ信号を通信する。
【００７５】
プロセッサ１１２０は、無線ネットワークコントローラ６３０またはコアネットワークノード６２０の記述されている機能のうちのいくつかまたはすべてを実行する目的で命令を実行するために、およびデータを操作するために１つまたは複数のモジュールにおいて実施されるハードウェアおよびソフトウェアの任意の適切な組合せを含むことができる。いくつかの実施形態においては、プロセッサ１１２０は、たとえば、１つもしくは複数のコンピュータ、１つもしくは複数の中央処理装置（ＣＰＵ）、１つもしくは複数のマイクロプロセッサ、１つもしくは複数のアプリケーション、および／またはその他のロジックを含むことができる。
【００７６】
メモリ１１３０は一般に、ロジック、ルール、アルゴリズム、コード、テーブルなどのうちの１つもしくは複数を含むコンピュータプログラム、ソフトウェア、アプリケーションなどの命令、および／またはプロセッサによって実行されることが可能であるその他の命令を格納するように動作可能である。メモリ１１３０の例は、コンピュータメモリ（たとえば、ランダムアクセスメモリ（ＲＡＭ）もしくは読み取り専用メモリ（ＲＯＭ））、マスストレージメディア（たとえば、ハードディスク）、取り外し可能なストレージメディア（たとえば、コンパクトディスク（ＣＤ）もしくはデジタルビデオディスク（ＤＶＤ））、ならびに／または、情報を格納するその他の任意の揮発性もしくは不揮発性の非一時的な、コンピュータによって読み取り可能なおよび／もしくはコンピュータによって実行可能なメモリデバイスを含む。
【００７７】
いくつかの実施形態においては、ネットワークインターフェース１１４０は、プロセッサ１１２０に通信可能に結合されており、ネットワークノードのための入力を受信すること、ネットワークノードからの出力を送信すること、入力もしくは出力もしくは両方の適切な処理を実行すること、その他のデバイスへ通信すること、または前述のことの任意の組合せを行うように動作可能な任意の適切なデバイスを指すことが可能である。ネットワークインターフェース１１４０は、ネットワークを通じて通信するために、適切なハードウェア（たとえば、ポート、モデム、ネットワークインターフェースカードなど）およびソフトウェア（プロトコル変換およびデータ処理能力を含む）を含むことができる。
【００７８】
ネットワークノードのその他の実施形態は、上述の機能性のうちのいずれか、および／または任意のさらなる機能性（上述のソリューションをサポートするために必要な任意の機能性を含む）を含むネットワークノードの機能性の特定の態様を提供することを担当することができる、図１１において示されているコンポーネントを超えるさらなるコンポーネントを含むことができる。
【００７９】
本開示の範囲から逸脱することなく、本明細書において開示されているシステムおよび装置に対して修正、追加、または省略が行われることが可能である。これらのシステムおよび装置のコンポーネントどうしは、統合または分離されることが可能である。その上、これらのシステムおよび装置のオペレーションは、より多くの、より少ない、またはその他のコンポーネントによって実行されることが可能である。加えて、これらのシステムおよび装置のオペレーションは、ソフトウェア、ハードウェア、および／またはその他のロジックを含む任意の適切なロジックを使用して実行されることが可能である。
【００８０】
本開示の範囲から逸脱することなく、本明細書において開示されている方法に対して修正、追加、または省略が行われることが可能である。これらの方法は、より多くの、より少ない、またはその他のステップを含むことができる。加えて、ステップは、任意の適切な順序で実行されることが可能である。
【００８１】
本開示は、特定の実施形態に関して記述されているが、それらの実施形態の改変および並べ替えは、当業者にとって明らかであろう。したがって、実施形態についての上述の説明は、本開示を制約するものではない。添付の特許請求の範囲によって規定されている本開示の趣旨および範囲から逸脱することなく、その他の変更、置換、および改変が可能である。
【００８２】
下記の略語が使用されることが可能である。
３ＧＰＰ  第３世代パートナーシッププロジェクト
ＤＬ  ダウンリンク
ＩｏＴ  インターネットオブシングス
ＬＴＥ  Ｌｏｎｇ  Ｔｅｒｍ  Ｅｖｏｌｕｔｉｏｎ
ＭＰＤＣＣＨ  ＭＴＣ−ＰＤＣＣＨ
ＭＴＣ  マシン型通信
ＮＢ  ＩｏＴ  ナローバンドインターネットオブシングス
ＮＢ−ＰＤＣＣＨ  ＮＢ−ＩｏＴ  ＰＤＣＣＨ
ＮＢ−ＰＤＳＣＨ  ＮＢ−ＩｏＴ  ＰＤＳＣＨ
ＰＤＣＣＨ  物理ダウンリンク制御チャネル
ＰＤＳＣＨ  物理ダウンリンク共有チャネル
ＲＲＣ  無線リソース制御
ＵＥ  ユーザ機器
ｅＮＢ  拡張Ｎｏｄｅ  Ｂ
【図１】
2019513322.tif 000003
【図２】
2019513322.tif 000004
【図３】
2019513322.tif 000005
【図４Ａ】
2019513322.tif 000006
【図４Ｂ】
2019513322.tif 000007
【図５】
2019513322.tif 000008
【図６】
2019513322.tif 000009
【図７】
2019513322.tif 000010
【図８】
2019513322.tif 000011
【図９】
2019513322.tif 000012
【図１０】
2019513322.tif 000013
【図１１】
2019513322.tif 000014
【手続補正書】
【提出日】平成30年11月12日(2018.11.12)
【手続補正１】
【補正対象書類名】特許請求の範囲
【補正対象項目名】全文
【補正方法】変更
【補正の内容】
【特許請求の範囲】
【請求項１】
ネットワークノード（６１５）における方法（４００）であって、
第１のワイヤレスデバイス（６１０）から肯定応答が受信される前に通信された繰り返された送信の回数に基づいて前記第１のワイヤレスデバイス（６１０）をカバレッジレベルに割り振ることと、
ナローバンド物理ダウンリンク制御チャネル（ＮＢ−ＰＤＣＣＨ）またはナローバンド物理ダウンリンク共有チャネル（ＮＢ−ＰＤＳＣＨ）の送信時間の複数のタイムフレームのうちの少なくとも第１のタイムフレーム（１０５Ａ、２０５Ａ、３０５Ａ）および第２のタイムフレーム（１０５Ｂ、２０５Ｂ、３０５Ｂ）の繰り返し期間（１１０、２１０、２１５、３１５、３２０、３２５）中にナローバンドインターネットオブシングスダウンリンクを介して前記第１のワイヤレスデバイス（６１０）へ第１のメッセージを通信すること（４０５）であって、前記複数のタイムフレームのそれぞれのタイムフレームが、繰り返し期間およびギャップを含む、通信すること（４０５）と、
前記第１のタイムフレーム（１０５Ａ、２０５Ａ、３０５Ａ）のギャップ中に第２のワイヤレスデバイス（６１０）へ第２のメッセージを通信すること（４１０）とを含む方法（４００）。
【請求項２】
前記第２のタイムフレーム（１０５Ｂ、２０５Ｂ、３０５Ｂ）のギャップ（１１５、２２０、３１０）中に第３のワイヤレスデバイス（６１０）へ第３のメッセージを通信することをさらに含む、請求項１に記載の方法（４００）。
【請求項３】
前記第１のタイムフレーム（２０５Ａ）の第２の繰り返し期間（２１５）中に第４のワイヤレスデバイス（６１０）へ第４のメッセージを通信することと、
前記第２のタイムフレーム（２０５Ｂ）の第２の繰り返し期間（２１５）中に前記第４のワイヤレスデバイスへ前記第４のメッセージを通信することと
をさらに含む、請求項２に記載の方法（４００）。
【請求項４】
前記第１のタイムフレーム（１０５Ａ、２０５Ａ、３０５Ａ）の前記繰り返し期間（１１０、２１０、２１５、３１５、３２０、３２５）中に、または前記第１のタイムフレーム（２０５Ａ、３０５Ａ）の前記ギャップ中に第３のワイヤレスデバイス（６１０）へ第３のメッセージを通信することをさらに含む、請求項１に記載の方法（４００）。
【請求項５】
前記第１のタイムフレーム（３０５Ａ）の前記繰り返し期間が、第１の期間（３２５）および第２の期間（３１５、３２０）を含み、前記第１の期間（３２５）が、前記第２の期間（３１５、３２０）よりも長く、
前記第１のメッセージが、前記第１の期間（３２５）中に通信され、
前記第３のメッセージが、前記第２の期間（３１５、３２０）中に通信される、
請求項４に記載の方法（４００）。
【請求項６】
前記第１のタイムフレーム（３０５Ａ）の前記繰り返し期間（３１５）中に第４のワイヤレスデバイス（６１０）へ第４のメッセージを通信することをさらに含み、前記第１のタイムフレーム（３０５Ａ）の前記繰り返し期間（３１５、３２０、３２５）が、第１の期間（３２５）、第２の期間（３２０）、および第３の期間（３１５）を含み、前記第１の期間（３２５）が、前記第２の期間（３２０）よりも長く、前記第２の期間（３２０）が、前記第３の期間（３１５）よりも長く、前記第１のメッセージが、前記第１の期間（３２５）中に通信され、前記第３のメッセージが、前記第２の期間（３２０）中に通信され、前記第４のメッセージが、前記第３の期間（３１５）中に通信される、請求項４に記載の方法（４００）。
【請求項７】
前記第１のワイヤレスデバイス（６１０）へ到達するための繰り返された送信の回数が、前記第２のワイヤレスデバイス（６１０）へ到達するための繰り返された送信の回数よりも多い、請求項１から６のいずれか一項に記載の方法（４００）。
【請求項８】
メモリ（８３０）と、
前記メモリ（８３０）に通信可能に結合されている処理回路（８２０）と
を含むネットワークノード（６１５）であって、前記処理回路（８２０）が、
第１のワイヤレスデバイス（６１０）から肯定応答が受信される前に通信された繰り返された送信の回数に基づいて前記第１のワイヤレスデバイス（６１０）をカバレッジレベルに割り振ることと、
ナローバンド物理ダウンリンク制御チャネル（ＮＢ−ＰＤＣＣＨ）またはナローバンド物理ダウンリンク共有チャネル（ＮＢ−ＰＤＳＣＨ）の送信時間の複数のタイムフレームのうちの少なくとも第１のタイムフレーム（１０５Ａ、２０５Ａ、３０５Ａ）および第２のタイムフレーム（１０５Ｂ、２０５Ｂ、３０５Ｂ）の繰り返し期間（１１０、２１０、２１５、３１５、３２０、３２５）中にナローバンドインターネットオブシングスダウンリンクを介して第１のワイヤレスデバイス（６１０）へ第１のメッセージを通信することであって、前記複数のタイムフレームのそれぞれのタイムフレームが、繰り返し期間およびギャップを含む、通信することと、
前記第１のタイムフレーム（１０５Ａ、２０５Ａ、３０５Ａ）のギャップ中に第２のワイヤレスデバイス（６１０）へ第２のメッセージを通信することとを行うように構成されている、ネットワークノード（６１５）。
【請求項９】
前記処理回路（８２０）が、前記第２のタイムフレーム（１０５Ｂ、２０５Ｂ、３０５Ｂ）のギャップ（１１５、２２０、３１０）中に第３のワイヤレスデバイス（６１０）へ第３のメッセージを通信することを行うようにさらに構成されている、請求項８に記載のネットワークノード（６１５）。
【請求項１０】
前記処理回路（８２０）が、
前記第１のタイムフレーム（２０５Ａ）の第２の繰り返し期間（２１５）中に第４のワイヤレスデバイス（６１０）へ第４のメッセージを通信することと、
前記第２のタイムフレーム（２０５Ｂ）の第２の繰り返し期間（２１５）中に前記第４のワイヤレスデバイスへ前記第４のメッセージを通信することとを行うようにさらに構成されている、請求項９に記載のネットワークノード（６１５）。
【請求項１１】
前記処理回路（８２０）が、前記第１のタイムフレーム（１０５Ａ、２０５Ａ、３０５Ａ）の前記繰り返し期間（１１０、２１０、２１５、３１５、３２０、３２５）中に、または前記第１のタイムフレーム（２０５Ａ、３０５Ａ）の前記ギャップ中に第３のワイヤレスデバイス（６１０）へ第３のメッセージを通信することを行うようにさらに構成されている、請求項８に記載のネットワークノード（６１５）。
【請求項１２】
前記第１のタイムフレーム（３０５Ａ）の前記繰り返し期間が、第１の期間（３２５）および第２の期間（３１５、３２０）を含み、前記第１の期間（３２５）が、前記第２の期間（３１５、３２０）よりも長く、
前記第１のメッセージが、前記第１の期間（３２５）中に通信され、
前記第３のメッセージが、前記第２の期間（３１５、３２０）中に通信される、
請求項１１に記載のネットワークノード（６１５）。
【請求項１３】
前記処理回路（８２０）が、前記第１のタイムフレーム（３０５Ａ）の前記繰り返し期間（３１５）中に第４のワイヤレスデバイス（６１０）へ第４のメッセージを通信することを行うようにさらに構成されており、
前記第１のタイムフレーム（３０５Ａ）の前記繰り返し期間（３１５、３２０、３２５）が、第１の期間（３２５）、第２の期間（３２０）、および第３の期間（３１５）を含み、前記第１の期間（３２５）が、前記第２の期間（３２０）よりも長く、前記第２の期間（３２０）が、前記第３の期間（３１５）よりも長く、
前記第１のメッセージが、前記第１の期間（３２５）中に通信され、
前記第３のメッセージが、前記第２の期間（３２０）中に通信され、
前記第４のメッセージが、前記第３の期間（３１５）中に通信される、
請求項１１に記載のネットワークノード（６１５）。
【請求項１４】
前記第１のワイヤレスデバイス（６１０）へ到達するための繰り返された送信の回数が、前記第２のワイヤレスデバイス（６１０）へ到達するための繰り返された送信の回数よりも多い、請求項８から１３のいずれか一項に記載のネットワークノード（６１５）。
【請求項１５】
メモリ（７３０）と、
前記メモリ（７３０）に通信可能に結合されている処理回路（７２０）と
を含むワイヤレスデバイス（６１０）であって、前記処理回路（７２０）が、
前記ワイヤレスデバイス（６１０）が、肯定応答を前記ワイヤレスデバイス（６１０）が通信する前に通信された繰り返された送信の回数に基づいてカバレッジレベルに割り振られるということと、ナローバンド物理ダウンリンク制御チャネル（ＮＢ−ＰＤＣＣＨ）を介した通信が通信されるようにスケジュールされているサブフレームとを示す構成を、ナローバンドインターネットオブシングスダウンリンクを介して受信することと、
前記構成によって示されている前記サブフレームにおいて前記ＮＢ−ＰＤＣＣＨを介して前記通信を受信することと、
前記通信をデコードすることとを行うように構成されている、ワイヤレスデバイス（６１０）。
【請求項１６】
前記処理回路（７２０）が、ナローバンド物理ダウンリンク制御チャネル（ＮＢ−ＰＤＣＣＨ）またはＮＢ−ＰＤＳＣＨの送信時間の複数のタイムフレームのうちの第１のタイムフレーム（１０５Ａ、２０５Ａ、３０５Ａ）の繰り返し期間（１１０、２１０、２１５、３１５、３２０、３２５）中にメッセージを受信することであって、前記複数のタイムフレームのそれぞれのタイムフレームが、繰り返し期間およびギャップを含む、受信することを行うようにさらに構成されている、請求項１５に記載のワイヤレスデバイス（６１０）。
【請求項１７】
前記処理回路（７２０）が、ナローバンド物理ダウンリンク制御チャネル（ＮＢ−ＰＤＣＣＨ）またはナローバンド物理ダウンリンク共有チャネル（ＮＢ−ＰＤＳＣＨ）の送信時間の複数のタイムフレームのうちの第１のタイムフレーム（１０５Ａ、２０５Ａ、３０５Ａ）のギャップ中にメッセージを受信することであって、前記複数のタイムフレームのそれぞれのタイムフレームが、繰り返し期間およびギャップを含む、受信することを行うようにさらに構成されている、請求項１６に記載のワイヤレスデバイス（６１０）。
【請求項１８】
前記ワイヤレスデバイス（６１０）へ到達するための繰り返された送信の回数が、前記ワイヤレスデバイス（６１０）とは異なるカバレッジレベルに割り振られている第２のワイヤレスデバイス（６１０）へ到達するための繰り返された送信の回数よりも多い、請求項１５から１７のいずれか一項に記載のワイヤレスデバイス（６１０）。
【請求項１９】
ワイヤレスデバイス（６１０）が、肯定応答を前記ワイヤレスデバイス（６１０）が通信する前に通信された繰り返された送信の回数に基づいてカバレッジレベルに割り振られるということと、ナローバンド物理ダウンリンク制御チャネル（ＮＢ−ＰＤＣＣＨ）を介した通信が通信されるようにスケジュールされているサブフレームとを示す構成を、ナローバンドインターネットオブシングスダウンリンクを介して受信すること（８０５）と、
前記構成によって示されている前記サブフレームにおいて前記ＮＢ−ＰＤＣＣＨを介して前記通信を受信すること（８１０）と、
前記通信をデコードすること（８１５）と
含む方法（８００）。
【請求項２０】
ナローバンド物理ダウンリンク制御チャネル（ＮＢ−ＰＤＣＣＨ）またはＮＢ−ＰＤＳＣＨの送信時間の複数のタイムフレームのうちの第１のタイムフレーム（１０５Ａ、２０５Ａ、３０５Ａ）の繰り返し期間（１１０、２１０、２１５、３１５、３２０、３２５）中にメッセージを受信することであって、前記複数のタイムフレームのそれぞれのタイムフレームが、繰り返し期間およびギャップを含む、受信することをさらに含む、請求項１９に記載の方法（８００）。
【請求項２１】
ナローバンド物理ダウンリンク制御チャネル（ＮＢ−ＰＤＣＣＨ）またはナローバンド物理ダウンリンク共有チャネル（ＮＢ−ＰＤＳＣＨ）の送信時間の複数のタイムフレームのうちの第１のタイムフレーム（１０５Ａ、２０５Ａ、３０５Ａ）のギャップ中にメッセージを受信することであって、前記複数のタイムフレームのそれぞれのタイムフレームが、繰り返し期間およびギャップを含む、受信することをさらに含む、請求項２０に記載の方法（８００）。
【請求項２２】
前記構成を受信したワイヤレスデバイス（６１０）へ到達するための繰り返された送信の回数が、前記ワイヤレスデバイス（６１０）とは異なるカバレッジレベルに割り振られている第２のワイヤレスデバイス（６１０）へ到達するための繰り返された送信の回数よりも多い、請求項１９から２１のいずれか一項に記載の方法（８００）。
【国際調査報告】
2019513322.tif 000015
2019513322.tif 000016